(57)【要約】【課題】広告対象でない商品であっても売り上げアップさせることを可能にしたり、広告主の出す制作費が少なくても良質な広告が制作できるようにする。【解決手段】宣伝広告の対象外商品であってその販売主が広告で露出されることを望むものの情報を、対価支払い義務を前提に第一のデータベース手段８１にデータベース化して保存し、広告制作者に任意の対象外商品の情報を第一の閲覧手段により閲覧させる。広告制作者は、特定の対象外商品を選択してその商品が露出されるようにして広告を制作して公衆に露出させる。露出させた広告について、露出された対象外商品の販売主及び価格を含む情報を第二のデータベース手段８２にデータベース化して保存し、広告を認識した需要者がインターネット３を介して第二のデータベース手段８２にアクセスした際、需要者にその広告の対象外商品の情報を第二の閲覧手段により閲覧させる。【選択図】　図８
2004046740.tif 000002
【特許請求の範囲】
【請求項１】
広告において宣伝広告の対象となる商品以外の商品である対象外商品であってその対象外商品の販売主が広告で露出されることを望むものの情報をデータベース手段にデータベース化して保存するステップと、
データベース手段にアクセスして対象外商品の情報を閲覧し、任意の対象外商品を選択するステップと、
選択された対象外商品が露出されるようにして広告を制作するステップと、
制作された広告を公衆に露出させるステップと、
前記広告が露出された後、その広告において前記対象外商品が露出されている旨をその広告以外の手段で宣伝するステップとを有しており、
前記データベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されていることを特徴とする商品宣伝方法。
【請求項２】
前記広告はテレビＣＭであり、前記対価は、制作される広告の見込み視聴率に応じた金額又は広告放映後の対象外商品の販売実績に応じた金額であることを特徴とする請求項１記載の商品宣伝方法。
【請求項３】
広告を制作する際に使用される広告制作支援システムであって、
広告において宣伝広告の対象となる商品以外の商品である対象外商品であってその対象外商品の販売主が広告で露出されることを望むものの情報を多数登録したデータベース手段と、
広告制作者にデータベース手段に保存された情報を閲覧させる閲覧手段とを備えており、
前記データベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されていることを特徴とする広告制作支援システム。
【請求項４】
前記広告はテレビＣＭであり、前記対価は、制作される広告の見込み視聴率に応じた金額又は広告放映後の対象外商品の販売実績に応じた金額であることを特徴とする請求項３記載の広告制作支援システム。
【請求項５】
広告を通じた商品販売方法であって、
広告を、当該広告において宣伝広告の対象とされている商品以外の商品である対象外商品が需要者に認識される状態で公衆に露出させる露出ステップと、
前記対象外商品の販売主及び価格を含む対象外商品の情報を広告毎にデータベース化してデータベース手段に保存する保存ステップと、
前記露出ステップにおいて前記広告を認識した需要者がネットワークを介して第一のデータベース手段にアクセスした際、その需要者にその広告の対象外商品の情報を閲覧させる閲覧ステップとから成り、
さらに、
前記閲覧ステップはその対象外商品を購入できる店舗に関する情報についても閲覧させるものであるか、又は、対象外商品の情報を閲覧した需要者のネットワークを介した操作によるその対象外商品の購入注文を受け付ける購入受付ステップを有することを特徴とする商品販売方法。
【請求項６】
広告を通じて商品を販売する商品販売システムであって、
広告を当該広告において宣伝広告の対象とされている商品以外の商品である対象外商品が需要者に認識される状態で公衆に露出させるに際して、対象外商品の販売主及び価格を含む対象外商品の情報を広告毎にデータベース化して保存したデータベース手段と、
露出された前記広告を認識した需要者がネットワークを介して前記データベース手段にアクセスした際、その需要者にその広告の対象外商品の情報を閲覧させる閲覧手段とから成り、
さらに、
前記閲覧手段は、その対象外商品を購入できる店舗に関する情報についても閲覧させるものであるか、又は、対象外商品の情報を閲覧した需要者のネットワークを介した操作によるその対象外商品の購入注文を受け付ける購入受付手段を備えていることを特徴とする商品販売システム。
【請求項７】
広告を利用した商品の販売を仲介する方法であって、
広告において宣伝広告の対象となる商品以外の商品である対象外商品であってその対象外商品の販売主が広告で露出されることを望むものの情報を第一のデータベース手段にデータベース化して保存するステップと、
広告制作者に前記第一のデータベース手段にアクセスさせ、任意の対象外商品の情報を閲覧させるステップと、
閲覧した対象外商品の情報に従って特定の対象外商品が露出されるようにして制作された広告の露出が決定した後、第一のデータベース手段に保存されたその対象外商品の販売主及び価格を含む情報を広告毎にデータベース化して第二のデータベース手段に保存する保存ステップと、
前記対象外商品が露出されるようにして制作された広告が露出された後、その広告を認識した需要者がネットワークを介して第二のデータベース手段にアクセスした際、その需要者にその広告の対象外商品の情報を閲覧させる閲覧ステップとから成り、
さらに、
前記閲覧ステップはその対象外商品を購入できる店舗に関する情報についても閲覧させるものであるか、又は、対象外商品の情報を閲覧した需要者のネットワークを介した操作によるその対象外商品の購入注文を受け付ける購入受付ステップを有し、
前記データベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されていることを特徴とする商品販売仲介方法。
【請求項８】
広告を利用した商品の販売を仲介するシステムであって、
広告において宣伝広告の対象となる商品以外の商品である対象外商品であってその対象外商品の販売主が広告で露出されることを望むものの情報をデータベース化して保存した第一のデータベース手段と、
前記第一のデータベース手段にアクセスした広告制作者に、任意の対象外商品の情報を閲覧させる第一の閲覧手段と、
閲覧した対象外商品の情報に従って特定の対象外商品が露出されるようにして制作された広告の露出が決定した後、その対象外商品の販売主及び価格を含む情報を広告毎にデータベース化して保存する第二のデータベース手段と、
前記対象外商品が露出されるようにして制作された広告が露出された後、その広告を認識した需要者がネットワークを介して第二のデータベース手段にアクセスした際、その需要者にその広告の対象外商品の情報を閲覧させる第二の閲覧手段とから成り、
さらに、
前記第二の閲覧手段は、その対象外商品を購入できる店舗に関する情報についても閲覧させるものであるか、又は、対象外商品の情報を閲覧した需要者のネットワークを介した操作によるその対象外商品の購入注文を受け付ける購入受付手段を備えており、
前記第一のデータベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されていおり、
前記第一の閲覧手段は、前記販売主の対価支払い義務を前提に、又は、前記対価の額の情報も含めて、テレビ制作者に閲覧させるものであることを特徴とする商品販売仲介システム。
【発明の詳細な説明】
【０００１】
【発明の属する技術分野】
本願の発明は、テレビＣＭ等の広告の制作や広告に関連したビジネスに関するものである。
【０００２】
【発明の背景】
広告は、大量消費社会とともに、マーケティングの最も重要な要素となって久しい。特に、テレビＣＭは、昨今の多チャンネル時代を迎え、ますます重要性が高まっている。
広告においては、その広告で宣伝の対象となっている商品以外の商品（本明細書において対象外商品と呼ぶ）の売れ行きが意外にも伸びることがある。例えば、あるテレビＣＭで使われた楽曲（いわゆるＣＭソング）のＣＤの売り上げが伸びたりといった現象である。このようなことは、ＣＭソング以外でも起こりうる。例えば、ＣＭに出ていたタレントが身につけていた洋服や小物類に人気が出て売り上げが伸びる、という具合である。
【０００３】
【発明が解決しょうとする課題】
しかしながら、そのテレビＣＭにおいて宣伝広告の対象となっている商品そのものの場合はまだしも、単にテレビ画面に映っているだけのような対象外商品の場合、その商品の販売主がどこの会社で、どこで買えるのかは、視聴者にとってわからない。従って、テレビ画面に映っただけの洋服や小物類等が視聴者に意外にも気に入られた場合でも、その商品に売り上げアップには結びつかないことが多い。このようなことは、テレビＣＭ以外の広告でもあり得る。
一方、テレビＣＭによる宣伝広告は大きなインパクトを持つものの、その制作費や放映料は高額になり易く、経営規模の小さい企業では容易に利用できない面がある。特に、人気のあるタレントを使用することがインパクトを大きくする上で重要であるが、その分制作費も高くなってしまう。このようなことは、テレビＣＭ以外でも一般的に言える。
本願の発明は、係る課題を解決するために成されたものであり、広告を利用したユニークな商品販売のルートを提供することにより、広告対象でない商品についても売り上げアップさせることを可能にしたり、広告主の出す制作費が比較的少なくても良質な広告が制作できるようにする技術的意義がある。
【０００４】
【課題を解決するための手段】
上記課題を解決するため、本願の請求項１記載の発明は、広告において宣伝広告の対象となる商品以外の商品である対象外商品であってその対象外商品の販売主が広告で露出されることを望むものの情報をデータベース手段にデータベース化して保存するステップと、
データベース手段にアクセスして対象外商品の情報を閲覧し、任意の対象外商品を選択するステップと、
選択された対象外商品が露出されるようにして広告を制作するステップと、
制作された広告を公衆に露出させるステップと、
前記広告が露出された後、その広告において前記対象外商品が露出されている旨をその広告以外の手段で宣伝するステップとを有しており、
前記データベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されているという構成を有する。
また、上記課題を解決するため、請求項２記載の発明は、前記請求項１の構成において、前記広告はテレビＣＭであり、前記前記対価は、制作される広告の見込み視聴率に応じた金額又は広告放映後の対象外商品の販売実績に応じた金額であるという構成を有する。
また、上記課題を解決するため、請求項３記載の発明は、広告を制作する際に使用される広告制作支援システムであって、
広告において宣伝広告の対象となる商品以外の商品である対象外商品であってその対象外商品の販売主が広告で露出されることを望むものの情報を多数登録したデータベース手段と、
広告制作者にデータベース手段に保存された情報を閲覧させる閲覧手段とを備えており、
前記データベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されているという構成を有する。
また、上記課題を解決するため、請求項４記載の発明は、前記請求項３の構成において、前記広告はテレビＣＭであり、前記対価は、制作される広告の見込み視聴率に応じた金額又は広告放映後の対象外商品の販売実績に応じた金額であるという構成を有する。
また、上記課題を解決するため、請求項５記載の発明は、広告を通じた商品販売方法であって、
広告を、当該広告において宣伝広告の対象とされている商品以外の商品である対象外商品が需要者に認識される状態で公衆に露出させる露出ステップと、
前記対象外商品の販売主及び価格を含む対象外商品の情報を広告毎にデータベース化してデータベース手段に保存する保存ステップと、
前記露出ステップにおいて前記広告を認識した需要者がネットワークを介して第一のデータベース手段にアクセスした際、その需要者にその広告の対象外商品の情報を閲覧させる閲覧ステップとから成り、
さらに、
前記閲覧ステップはその対象外商品を購入できる店舗に関する情報についても閲覧させるものであるか、又は、対象外商品の情報を閲覧した需要者のネットワークを介した操作によるその対象外商品の購入注文を受け付ける購入受付ステップを有するという構成を有する。
また、上記課題を解決するため、請求項６記載の発明は、広告を通じて商品を販売する商品販売システムであって、
広告を当該広告において宣伝広告の対象とされている商品以外の商品である対象外商品が需要者に認識される状態で公衆に露出させるに際して、対象外商品の販売主及び価格を含む対象外商品の情報を広告毎にデータベース化して保存したデータベース手段と、
露出された前記広告を認識した需要者がネットワークを介して前記データベース手段にアクセスした際、その需要者にその広告の対象外商品の情報を閲覧させる閲覧手段とから成り、
さらに、
前記閲覧手段は、その対象外商品を購入できる店舗に関する情報についても閲覧させるものであるか、又は、対象外商品の情報を閲覧した需要者のネットワークを介した操作によるその対象外商品の購入注文を受け付ける購入受付手段を備えているという構成を有する。
また、上記課題を解決するため、請求項７記載の発明は、広告を利用した商品の販売を仲介する方法であって、
広告において宣伝広告の対象となる商品以外の商品である対象外商品であってその対象外商品の販売主が広告で露出されることを望むものの情報を第一のデータベース手段にデータベース化して保存するステップと、
広告制作者に前記第一のデータベース手段にアクセスさせ、任意の対象外商品の情報を閲覧させるステップと、
閲覧した対象外商品の情報に従って特定の対象外商品が露出されるようにして制作された広告の露出が決定した後、第一のデータベース手段に保存されたその対象外商品の販売主及び価格を含む情報を広告毎にデータベース化して第二のデータベース手段に保存する保存ステップと、
前記対象外商品が露出されるようにして制作された広告が露出された後、その広告を認識した需要者がネットワークを介して第二のデータベース手段にアクセスした際、その需要者にその広告の対象外商品の情報を閲覧させる閲覧ステップとから成り、
さらに、
前記閲覧ステップはその対象外商品を購入できる店舗に関する情報についても閲覧させるものであるか、又は、対象外商品の情報を閲覧した需要者のネットワークを介した操作によるその対象外商品の購入注文を受け付ける購入受付ステップを有し、
前記データベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されているという構成を有する。
また、上記課題を解決するため、請求項８記載の発明は、広告を利用した商品の販売を仲介するシステムであって、
広告において宣伝広告の対象となる商品以外の商品である対象外商品であってその対象外商品の販売主が広告で露出されることを望むものの情報をデータベース化して保存した第一のデータベース手段と、
前記第一のデータベース手段にアクセスした広告制作者に、任意の対象外商品の情報を閲覧させる第一の閲覧手段と、
閲覧した対象外商品の情報に従って特定の対象外商品が露出されるようにして制作された広告の露出が決定した後、その対象外商品の販売主及び価格を含む情報を広告毎にデータベース化して保存する第二のデータベース手段と、
前記対象外商品が露出されるようにして制作された広告が露出された後、その広告を認識した需要者がネットワークを介して第二のデータベース手段にアクセスした際、その需要者にその広告の対象外商品の情報を閲覧させる第二の閲覧手段とから成り、
さらに、
前記第二の閲覧手段は、その対象外商品を購入できる店舗に関する情報についても閲覧させるものであるか、又は、対象外商品の情報を閲覧した需要者のネットワークを介した操作によるその対象外商品の購入注文を受け付ける購入受付手段を備えており、
前記第一のデータベース手段には、対象外商品を特定する情報及び対象外商品の販売主を特定する情報が、その対象外商品を広告で露出させることに対する販売主の対価支払い義務を前提に登録されているか、又は、対象外商品を特定する情報及び対象外商品の販売主を特定する情報が、その対象外商品を広告で露出させることに対して販売主が支払う用意のある対価の額の情報とともに保存されていおり、
前記第一の閲覧手段は、前記販売主の対価支払い義務を前提に、又は、前記対価の額の情報も含めて、広告制作者に閲覧させるものであるという構成を有する。
【０００５】
【発明の実施の形態】
以下、本願発明の実施の形態（以下、実施形態）について説明する。
まず、商品宣伝方法の発明の実施形態及び広告制作支援システムの発明の実施形態について説明する。以下に説明する実施形態では、対象外商品が露出される広告の一例としてテレビＣＭを採り上げている。従って、広告制作支援システムは、具体的にはテレビＣＭ制作支援システムとなっている。図１は、商品宣伝方法の発明の実施形態及びテレビＣＭ制作支援システムの発明の実施形態について示した概略図である。
図１に示す商品販売方法は、対象外商品であってその対象外商品の販売主がテレビＣＭで露出されることを望むもの（以下、露出希望商品）の情報をデータベース手段にデータベース化して保存するステップと、データベース手段にアクセスして任意の対象外商品を選択するステップと、選択された対象外商品が露出されるようにしてテレビＣＭを制作するステップと、制作されたテレビＣＭを公衆に露出させるステップと、テレビＣＭが放映された後、そのテレビＣＭにおいて対象外商品が露出されている旨をそのテレビＣＭ以外の手段で宣伝するステップとを有している。
【０００６】
また、図１に示すテレビＣＭ制作支援システムは、テレビＣＭを制作する際に使用されるテレビＣＭ制作支援システムであって、露出希望商品の情報を多数登録したデータベース手段と、テレビＣＭ制作者にデータベース手段に保存された情報を閲覧させる閲覧手段とを備えている。
【０００７】
まず、データベース手段は、ソフトウェアであるデータベース管理システム（以下、ＤＢＭＳ）１０がインストールされたデータベースサーバ（以下、ＤＢＳ）１である。ＤＢＳ１は、所定の構造のデータベースファイル（以下、ＤＢＦ）１１を備えている。図２は、図１に示すＤＢＦ１１のファイル構造について示した図である。
図２に示すように、ＤＢＦ１１は、
・商品ジャンル
・商品名称
・型式等
・色
・販売価格
・販売主名称
・販売主住所
・販売主電話番号
・販売主Ｅメールアドレス
等のフィールドから成るレコードを多数登録したものである。また、露出希望商品の写真のイメージデータもＤＢＳ１に登録されている。これらは、イメージデータのみ集めたイメージファイル（不図示）に登録されており、露出希望商品のＤＢＦ１１に関連づけられている。尚、ＤＭＢＳ１０は、いわゆるリレーショナルなもの（ＲＤＢＭＳ）である。
【０００８】
本実施形態の大きな特徴点は、対象外商品をテレビＣＭで露出させることに対して販売主が支払う用意のある対価の額の情報が保存されている。加えて、ＤＢＦ１１は、
・支払い方式
・協賛金額
・単価
・予想個数
・支払い期間
等のフィールドを有している。
【０００９】
また、図１に示すシステムは、ＤＢＳ１への登録を露出希望商品の販売主にさせるための手段（以下、登録手段）が設けられている。登録手段は、本実施形態では、ＷＷＷサーバ２で構成されている。ＷＷＷサーバ２は、ルータ３０を介してインターネット３に接続されているとともに、ファイアウォール４０を介してイントラネット４に接続されている。ＤＢＳ１は、このイントラネット４上に接続されている。ＷＷＷサーバ２には、後述するＨＴＭＬファイルを表示するためのプログラムであるｈｔｔｐｄ２０がインストールされている。ＷＷＷサーバ２で提供されるサイトは、露出希望商品の登録のメリットを説明すウェッブページを閲覧させるとともに、ＤＢＳ１への登録のための入力画面を提供するインタラクティブなサイトとなっている。
【００１０】
ＷＷＷサーバ２が提供するサイトのトップページには、露出希望商品を登録すると、テレビＣＭで商品が使われて露出され、商品の売り上げアップにつながる可能性があること、及び、そのためには協賛金の支払いか販売実績に応じたロイヤリティの支払いが必要であることなどが説明されている。そして、このトップページから、露出希望商品ＤＢＳ１への登録のための入力用のページ（以下、登録ページ）に跳べるようになっている。即ち、ＷＷＷサーバ２は、登録ページを表示するためのＨＴＭＬファイルである登録ページ用ファイル２１を備えている。
登録ページでは、前述した露出希望商品に関する
・商品ジャンル
・商品名称
・型式等
・色
・販売価格
・販売主名称
・販売主住所
・販売主電話番号
・販売主Ｅメールアドレス
等の情報の入力欄と、露出希望商品のイメージを貼り付ける欄がある。これらの情報を入力してＯＫボタンをクリックすると、露出に対して対価の支払い義務があることを確認する画面（以下、義務確認画面）が表示される。義務確認画面では、露出に対する対価の額を登録するかどうかを選択する欄があり、「登録する」を選択すると、対価の額に関する情報を入力するページが表示される。このページでは、支払方式を選択する欄がある。この欄では、協賛金方式とロイヤリティ方式のいずれかを選ぶようになっている。協賛金方式は、テレビＣＭに対象外商品として採用された場合、事前に一括して支払う方式であり、ロイヤリティ方式は、テレビＣＭの放映後、販売実績に応じて支払う方式である。
【００１１】
協賛金方式を選択すると、次に、対価の額を入力する欄が表示される。対価の額は、制作されるテレビＣＭの見込み視聴率に応じた金額とされる。通常は、ＧＲＰ（Ｇｒｏｓｓ　Ｒａｔｉｎｇ　Ｐｏｉｎｔ）に応じた金額とされる。ＧＲＰは、そのテレビＣＭが放映される時間帯の平均視聴率ｒ、その時間帯で放映される回数ｔとしたとき、
ＧＲＰ＝Σｒｎｔｎ
で表される。つまり、テレビＣＭが放映される際の平均視聴率に放映回数を掛けたものを放映枠毎に加算したものである。
例えば、
ＧＲＰ＝１０００〜８００→協賛金５００万円
ＧＲＰ＝８００〜６００→協賛金３００万円
ＧＲＰ＝６００〜４００→協賛金１００万円
というように設定され、露出を希望する販売主がいずれかを選ぶようになっている。
【００１２】
また、ロイヤリティ方式の場合、次の三つの情報を入力する欄が表示される。
・単価
・支払い期間
・予想個数
「単価」は、その商品が対象外商品として露出しているテレビＣＭが放映された後、その商品が一個売れる毎に支払う金額である。「単価」は、通常、商品の価格の数パーセント程度である。例えば、１個１０００円の商品の場合、５０円程度が「単価」とされる。「支払い期間」は、ロイヤリティ支払いの対象となる販売期間である。「支払い期間」の始期は、通常そのテレビＣＭの放映開始と同時なので、ここでは、「支払い期間」の終期を入力する。終期は、通常、テレビＣＭの放映終了から１ヶ月乃至数ヶ月程度である。
【００１３】
これらの情報が入力され、ＯＫボタンがクリックされると、データがＷＷＷサーバ２に送られる。ＷＷＷサーバ２は、ＣＧＩ（Ｃｏｍｍｏｎ　Ｇａｔｅｗａｙ　Ｉｎｔｅｒｆａｃｅ）２００とＣＧＩプログラム２０１を備えており、送られたデータを所定の形式に変換してＤＢＳ１に送る。ＤＢＳ１は、送られたデータを新しいレコードとして追加して登録する。
【００１４】
ＷＷＷサーバ２は、このような露出希望商品の登録を常に募っており、ＤＢＳ１には、多数の露出希望商品がデータベース化されて保存されることになる。テレビＣＭ制作者は、テレビＣＭの制作に際し、閲覧手段を利用してＤＢＳ１内のデータを閲覧する。閲覧手段は、本実施形態では、ＷＷＷサーバ２と、ＷＷＷサーバ２にインストールされた制作者閲覧用ファイル２２とから構成されている。ＷＷＷサーバ２は、テレビＣＭ制作者用のサイトを提供している。ＤＢＳ１内のデータの閲覧もこのサイトで行われる。テレビＣＭ制作者用のサイトは、会員制になっている。このテレビＣＭ制作支援サービスを運営する事業者は、サービスの提供を欲するテレビＣＭ制作者を予め募り、会員になってもらう。会員になったテレビＣＭ制作者には、会員ＩＤとパスワードを発行する。
【００１５】
本システムは、認証サーバ４１を備えている。テレビＣＭ制作者は、パソコン等の情報端末３００によりインターネットを介してＷＷＷサーバ２にアクセスする。ＷＷＷサーバ２によりトップページが表示されている状態で、テレビＣＭ制作者用のサイトへのリンクボタンがクリックされると、会員ＩＤとパスワードを入力する欄が表示される。会員ＩＤとパスワードが入力されて送信ボタンがクリックされると、認証サーバ４１が動作し、会員ＩＤとパスワードが正しいかどうか判断し、正しければ、テレビＣＭ制作者が露出希望商品を閲覧するためのページ（以下、制作者閲覧ページ）を表示する制作者閲覧用ファイル２２が送られて情報端末３００に表示される。
【００１６】
図３は、制作者閲覧ページの例を示した概略図である。本実施形態では、露出希望消費は、ジャンル別に閲覧されるようになっている。図３に示すように、制作者閲覧ページには、商品ジャンルを入力する欄がある。商品ジャンルの入力欄は、プルダウンメニュー表示となっており、プルダウンしていずれかの商品ジャンルを選択する。「ＯＫ」ボタンをクリックすると、図３に示すようにがリスト表示される。
図３に示すように、本実施形態では、「販売主名称」、「販売主住所」等の前述した各フィールドの情報がリスト表示されるようになっている。図３に示すように、制作者閲覧ページでは、「イメージ」のリンクボタンがある。このボタンをクリックすると、その露出希望商品のイメージ情報が表示されるようになっている。イメージ情報は、その商品の写真である場合が多い。テレビＣＭ制作者は、リスト表示を閲覧しながら、任意の露出希望商品を選び、その販売主との交渉に入る。交渉は、対象外商品を露出させることの対価の額や支払方式についてである。交渉がまとまれば、テレビＣＭ制作者は、その対象外商品を露出させてテレビＣＭを実際に制作する。例えば、化粧品のテレビＣＭに登場するタレントに、対象外商品としての帽子をかぶってもらうという具合である。
【００１７】
制作されたテレビＣＭは、周知の方法で放映される。その後、そのテレビＣＭにおいてその対象外商品が露出されている旨が、そのテレビＣＭ以外の手段で宣伝される。これは、通常、その対象外商品の露出を希望した販売主が行う。例えば、その販売主がその対象外商品のカタログ中で紹介したり、その販売主のホームページで紹介したりする。表現としては、例えば帽子の場合、「弊社の〇〇は、××社のテレビＣＭでタレントの△△がかぶっています。」というような表現になる。勿論、テレビＣＭの制作に先立ち、そのテレビＣＭの広告主（スポンサー）に、対象外商品を露出させることに加え、そのことをその対象外商品の販売主が宣伝することを、了承してもらう。尚、対象外商品の販売主が、そのテレビＣＭのあるカット（静止画）を使用したり、そのテレビＣＭそのもの（動画）をホームページに掲載したりすることは、著作権上の問題を生ずるから、そのテレビＣＭの広告主の了解なしには行えない。また、タレントの名前を出す場合、そのタレントが所属するプロダクションの了解が必要な場合もある。
【００１８】
いずれにしても、販売主にとっては、テレビＣＭに対象外商品が露出していることで、対象外商品の売り上げアップにつながる。また、テレビＣＭを広告主として利用するには、大きな金額の制作費と放映料を負担しなければならないが、本実施形態において対象外商品として露出させるだけであれば、それほど多大が費用はかからない。従って、中小企業などにとってはメリットが大きい。
【００１９】
一方、テレビＣＭ制作者としては、対象外商品の販売主から協賛金ないしはロイヤリティが入る。この分は制作費に加算されるため、潤沢な制作費を使用してより良いテレビＣＭを制作することが可能となる。例えば、あるテレビＣＭを制作する際に海外ロケが好ましいにもかかわらず、広告主から提供される制作費ではそれがまかなえない場合がある。このような場合、本実施形態のように対象外商品の露出による協賛金又はロイヤリティを得ることで制作費を増やし、海外ロケを可能することができる。広告主の側にとっても、限られた広告予算の中でより効果的なテレビＣＭを放映することができるようになるというメリットがある。
【００２０】
尚、テレビＣＭ中で対象外商品の販売主等の情報を視聴者に積極的に告知することは、法令上問題が生ずる場合がある。即ち、公正な競争を確保する観点から、現在、二以上のスポンサーの商品の宣伝を一つのテレビＣＭにおいて行うこと（いわゆるダブルスポンサー）は禁じられている。従って、テレビＣＭ中で対象外商品の販売主等の情報を視聴者に積極的に告知することは、ダブルスポンサーになりかねないので、避けるべきである。
【００２１】
次に、商品販売方法の発明の実施形態及び商品販売システムの発明の実施形態について説明する。図４は、商品販売方法の発明の実施形態及び商品販売システムの発明の実施形態について示した概略図である。
図４に示す商品販売方法は、テレビＣＭを通じて商品を販売する方法であって、テレビＣＭを対象外商品が視聴者に視聴される状態で放映する放映ステップと、対象外商品の販売主及び価格を含む対象外商品の情報をテレビＣＭ毎にデータベース化してデータベース手段に保存する保存ステップと、放映ステップにおいて前記テレビＣＭを視聴した視聴者がネットワークを介して第一のデータベース手段にアクセスした際、その視聴者にそのテレビＣＭの対象外商品の情報を閲覧させる閲覧ステップと、対象外商品の情報を閲覧した視聴者のネットワークを介した操作によるその対象外商品の購入注文を受け付ける購入受付ステップとから成っている。
【００２２】
また、図４に示す商品販売システムは、テレビＣＭを通じて商品を販売するシステムであって、テレビＣＭを対象外商品が視聴者に視聴される状態で放映するに際して、対象外商品の販売主及び価格を含む対象外商品の情報をテレビＣＭ毎にデータベース化して保存したデータベース手段と、放映されたテレビＣＭを視聴した視聴者がネットワークを介してデータベース手段にアクセスした際、その視聴者にそのテレビＣＭの対象外商品の情報を閲覧させる閲覧手段と、対象外商品の情報を閲覧した視聴者のネットワークを介した操作によるその対象外商品の購入注文を受け付ける購入受付手段とから成っている。
【００２３】
本実施形態のシステムは、ルータ３１を介してインターネット３につながっているＷＷＷサーバ５を備えている。閲覧手段は、このＷＷＷサーバ５によって構成されている。購入受付手段も、このＷＷＷサーバ５によって構成されている。また、ＷＷＷサーバ５には、ファイアウォール６０を介してイントラネット６が接続されており、このイントラネット上６には、データベースサーバ（以下、ＤＢＳ）７が設けられている。ＷＷＷサーバ５は、ＣＧＩ５００と、ＣＧＩ５００に従って実行される幾つかのＣＧＩプログラム５０１を備えている。また、データベース手段は、ＤＢＳ７によって構成されている。ＤＢＳ７には、リレーショナルなＤＢＭＳ７０がインストールされている。
【００２４】
ＤＢＳ７は、テレビＣＭＤＢＦ７１を備えている。テレビＣＭＤＢＦ７１は、このシステムによって販売される商品が対象外商品として露出しているテレビＣＭのデータをデータベース化したファイルである。テレビＣＭＤＢＦ７１は、このデータをテレビＣＭ毎に登録している。具体的には、
・テレビＣＭコード
・広告主
・ＣＭ対象商品
・放映期間
・ＣＭ説明
・対象外商品１
・対象外商品２
・対象外商品３
・対象外商品４
・対象外商品５
・対象外商品６
・対象外商品７
・対象外商品８
・対象外商品９
・対象外商品１０
等のフィールドから成るレコードをテレビＣＭ毎に登録している。「広告主」、「ＣＭ対象商品」、「放映期間」、「ＣＭ説明」は、テレビＣＭを特定するための情報である。「広告主」は、そのテレビＣＭの宣伝対象の商品の発売元の会社、「ＣＭ対象商品」は、そのテレビＣＭの宣伝対象の商品の名称（多くの場合、商標）である。「ＣＭ説明」は、ＤＢＳ７にアクセスした者に対して、テレビＣＭの特定がし易いようにするための情報である。例えば、「タレントの〇〇が××の格好で出ている△△のＣＭ」というような短い説明文が登録される。
【００２５】
「対象外商品１〜１０」は、そのテレビＣＭで対象外商品として露出された商品のデータである。露出された対象外商品が１つのみの場合には、「対象外商品１」にのみデータが登録され、２つの場合には、「対象外商品１」と「対象外商品２」にデータが登録される。本実施形態では、１つのテレビＣＭに対象外商品を１０個まで登録できるようになっているが、１１個以上登録できるようにしても勿論良い。対象外商品１〜１０に登録されるのデータは、英数字等からなる商品コード商品であり、対象外商品を特定するためのデータである。
【００２６】
また、ＤＢＳ７は、テレビＣＭＤＢＦ７１に関連付けられたデータベースファイルとして、対象外商品ＤＢＦ７２を備えている。対象外商品ＤＢＦ７２は、
・テレビＣＭコード
・商品コード
・商品名称
・型式等
・色
・販売価格
・販売主名称
・販売主住所
・販売主電話番号
・販売主ＨＰのＵＲＬ
・販売主Ｅメールアドレス
等のフィールドから成るレコードを幾つか登録したものとなっている。上記の例では、１つのテレビＣＭに登録できる対象外商品の数は１０までなので、テレビＣＭＤＢＦ７１内の１つのテレビＣＭのレコードに関連付けて設けられる対象外商品ＤＢＦ７２の数は１０までとなる。
４
ＷＷＷサーバ５は、テレビＣＭに対象外商品として露出した商品を宣伝し、希望に応じて購入の注文を受け付けるためのサイトを提供するものである。このサイトのトップページは、「テレビＣＭ関連商品購入」のようなキーワードでヒットするようにインターネット３上の検索サイトに登録されている。
【００２７】
あるテレビＣＭを見て、そのテレビＣＭに出ていた対象外商品に興味を持ち、調べてみたいと思ったり、買いたいと思ったりした者は、ブラウザを備えたパソコンや、インターネット対応の携帯電話、ＰＤＡ（Ｐｅｒｓｏｎａｌ　Ｄａｔａ　Ａｓｉｓｔａｎｔ）等の情報端末３００を使用してこのサイトにアクセスする。そして、以下に示すような方法により対象外商品の情報を得たり、購入したりすることができる。
【００２８】
具体的に説明すると、ＷＷＷサーバ５は、テレビＣＭを見た視聴者にテレビＣＭＤＢＳ７内のデータをインターネット３を介して閲覧させるためのＨＴＭＬファイル（以下、視聴者閲覧用ファイル）５１を有している。視聴者閲覧用ファイル５１は、トップページにリンクして対象外商品閲覧ページを表示するものである。図５は、対象外商品閲覧ページの一例を示す図である。
図５に示すように、対象外商品閲覧ページは、閲覧する対象外商品を検索することが可能となっている。即ち、図５に示すように、「商品の出ているテレビＣＭを検索して下さい。」という表示がある。そして、その下にテキストボックスがあり、さらにその下に「検索する」のボタンが設けられている。テキストボックスの下には、検索キーのジャンルを指定する部分がある。検索キーのジャンルとは、図５に示すように、「商品名（商標）」、「広告主」、「出ているタレント」のラジオボタンがあり、検索キーのジャンルを選ぶようになっている。
【００２９】
図５において、特定の検索キーのジャンルを選んだ上でテキストボックスに検索キーを入力し、「検索する」をクリックすると、ＣＧＩプログラム５０１が起動してデータが所定の形式に変換されてＤＢＳ７に送られ、テレビＣＭＤＢＦ７１内のレコードの検索が行われる。例えば、「○○」というチョコレートのテレビＣＭでタレントが着ていた服について見たいのであれば、「商品名（商標）」を選択し、テキストボックスで「○○」と入力して「検索する」ボタンをクリックする。
【００３０】
検索の結果、該当するレコードがあれば、ＣＧＩプログラム５０１がそのレコードのデータをＨＴＭＬに変換して、アクセスした情報端末３００に表示する。表示するのは、「広告主」、「ＣＭ対象商品」、「放映期間」、「ＣＭ説明」の各フィールドの情報であり、一行に表示される。尚、場合によっては、該当するレコードが２以上になる場合もある。一つの商品について二以上の異なるテレビＣＭが同時期にオンエアされていたり、図５に示すように、「広告主」のジャンルで検索した場合にその広告主が二以上の異なるテレビＣＭを同時期にオンエアしていたりする場合が該当する。
【００３１】
尚、図５において、実際に放映されている（又は放映された）テレビＣＭの１カットや動画を閲覧できるようなリンクボタンを設けて、テレビＣＭ自体をこのサイト上で確認できるようにすると、テレビＣＭの確認のためには有効である。しかしながら、これには広告主の了解や出ているタレントのプロダクションの了解が必要な場合が多い。そこで、図５に示すリスト中に広告主のホームページ（ＨＰ）にリンクするリンクボタンを設けることが考えられる。広告主のＨＰでは、自社の商品についてテレビ広告と同様の広告をしていたり、テレビ広告の説明をしていたりすることが多いから、広告主のＨＰに一旦跳んで広告を確認するようにすると良い。
図５に示すように、テレビＣＭの情報を表示した行の末尾には、「閲覧する」のリンクボタンがある。このリンクボタンをクリックすると、そのテレビＣＭで露出されている対象外商品の情報が表示されるようになっている。具体的には、そのテレビＣＭのＣＭコードがメモリ変数に格納されており、ＣＧＩプログラム５０１が起動してＣＭコードを読み出し、それを検索キーにして対象外商品ＤＢＦ７２を検索する。そして、該当するＣＭコードのレコードのデータを全て読み込む。読み込まれたデータは、ＣＧＩプログラム５０１によりＨＴＭＬ形式に変換され、アクセスしてきた情報端末３００に送られて表示される。
【００３２】
図６は、対象外商品を表示した対象外商品閲覧ページの例を示す図である。図６に示す例では、一つのテレビＣＭで露出されている対象外商品が複数リスト表示されている。情報としては、「商品名称」、「販売価格」、「販売主名称」、「販売主住所」、「販売主電話番号」、「販売主ＨＰのＵＲＬ」等である。ここで、「販売主ＨＰのＵＲＬ」をクリックすると、その販売主のホームページに跳び、そのホームページが情報端末３００に表示されることになる。そして、そのホームページ上でその対象外商品の内容を知ることができる。
また、「販売主ＨＰのＵＲＬ」の横には、「店舗情報」のリンクボタンが設けられている。ここをクリックすると、その対象外商品を購入することのできる店舗の情報が閲覧できるようになっている。店舗の情報とは、店名、所在地、最寄り駅等である。店舗の場所を示す地図も閲覧できるようにしておくと、好適である。尚、購入できる店舗は、１つに限らず、複数ある場合もある。
【００３３】
図６に示す例では、対象外商品の情報が単にリスト表示されているだけだが、テレビＣＭの広告主やタレントのプロダクションの了解が得られれば、テレビＣＭの１カット（静止画）を表示し、矢印等を使って対象外商品を指し示しながら情報を表示するようにすると好適である。
【００３４】
また、図４に示すように、ＷＷＷサーバ５は、購入受付ページを表示するためのＨＴＭＬファイル（以下、購入受付用ファイル）５２を備えている。そして、図６に示すように、対象外商品の情報のリストの末尾には、「ここで購入」のリンクボタンがある。「ここで購入」のリンクボタンがクリックされると、購入受付用ファイル５２が送られ、購入受付ページがインターネット３を介して情報端末３００に表示されるようになっている。
【００３５】
図７は、購入受付ページの一例を示す図である。図７に示すように、購入受付ページでは、「ここで購入」のリンクボタンをクリックした対象外商品の情報が確認のため表示される。そして、その下に、
・色
・サイズ
・販売主氏名
・販売主住所
・販売主ＴＥＬ
・支払方法
の入力欄がある。「色」や「サイズ」は、商品によっては選べない場合もあり、その場合には入力欄は表示されない。「個数」の入力欄を設けて、注文個数も入力できるようにすると好適である。「支払方法」は、宅配便による代金引換か、クレジットカード決済である。クレジットカード決済を選んだ場合には、カード会社やクレジットカード番号を入力する欄が表示される。
【００３６】
図４に示すように、ＤＢＳ７は、受け付けた購入の情報をデータベース化した購入受付ＤＢＦ７３を有している。購入受付ＤＢＦ７３は、
・商品コード
・商品名称
・販売主名称
・購入者氏名
・購入者住所
・購入者電話番号
・個数
・色
・サイズ
・支払方法
等のフィールドからなる１つの購入受付のレコードを多数登録したファイルである。
【００３７】
図７に示す購入受付ページにおいて、前述した情報が入力されて「送信」のボタンがクリックされると、入力された情報を再度表示して確認を取る画面を表示し、最終的に「ＯＫ」がクリックされると、購入受付用のＣＧＩプログラム５０１が起動する。ＣＧＩプログラム５０１は、購入受付ページに入力されているデータを読み込んで所定の形式に変換し、ＤＢＳ７に送る。ＤＢＳ７は、送られたデータを購入受付ＤＢＦ７３に新規のレコードとして追加する。これで購入受付は終了であり、ＣＧＩプログラム５０１は、アクセスしてきた情報端末３００に「購入を受け付けました」のような表示をして終了する。情報端末３００上では、再び対象外商品閲覧ページが表示されるか、トップページに戻る。
【００３８】
図４に示すように、イントラネット６上には、管理用クライアント６１が接続されている。管理用クライアント６１は、ＷＷＷサーバ５やＤＢＳ７を運営する運営主体が管理用に使用するものである。運営主体は、管理用クライアント６１を使用してＤＢＳ７にアクセスし、購入受付ＤＢＦ７３を定期的に（例えば一日に一回）チェックする。この際、新しく追加されたレコードがあった場合（新規の購入注文があった場合）、データを読み出して発売主に購入注文を転送する。購入注文の転送を受けた販売主は、データに従って商品を発送し、代金を回収する。通常、代金回収後、運営主体に販売マージンが支払われる。
上述した実施形態の商品販売方法及び商品販売システムは、以下のようなメリットをもたらす。
【００３９】
まず、テレビＣＭを見た視聴者にとっては、テレビＣＭで露出された商品を容易に手に入れることができる、というメリットがある。テレビＣＭを見て、そのテレビＣＭの宣伝対象ではないものの、それに出ていた商品が気に入ることがある。その場合、その商品がどこに行けば手に入るか不明な場合が多い。そのテレビＣＭのスポンサーの会社に電話して聞くことが多いであろうが、そこでも、特定のテレビＣＭに出ている対象外商品の販売主など、判ることは殆ど不可能である。できるとすれば、広告代理店の連絡先を教えてもらい、そこからテレビＣＭ制作会社の連絡を教えてもらうことぐらいである。それでも、そこで判るかどうかというところであろう。
【００４０】
本実施形態によれば、対象外商品を閲覧させるサイトにアクセスして検索するだけで情報が得られるので、極めて便利である。また、そのサイトでその商品の注文もできるので、さらに便利である。
また、対象外商品を販売する販売主としても、テレビＣＭで商品が露出することで販売促進できるというメリットがある。特に、単にテレビＣＭで使ってもらっただけでは売上げアップはそれほど見込めないということもあるかもしれないが、本実施形態では、サイト上でのテレビＣＭを特定した検索によりどの会社の商品かが視聴者に告知されるので、より効果的である。
【００４１】
尚、上記実施形態の方法では、購入ステップにおいて視聴者からの対象外商品の購入注文を受け付けるようにしたが、単に、その対象外商品が買える店舗の情報のみが閲覧できるようになっていても良い。つまり、本願発明の実施に際しては、ネットワーク上で対象外商品を購入できるようにすることは必須の条件ではなく、単に、その対象外商品を購入できる店舗の情報がネットワーク上で得られるようになっているだけでも良い。
【００４２】
次に、商品販売仲介方法の発明の実施形態及び商品販売仲介システムの発明の実施形態について説明する。図８は、商品販売仲介方法の発明の実施形態及び商品販売仲介システムの発明の実施形態について示した概略図である。
図８に示す商品販売仲介方法及び商品販売仲介システムは、図１に示す商品販売方法及びテレビＣＭ制作支援システムと、図４に示す商品販売方法及び商品販売システムとを、統合したような構成となっている。具体的には、図８に示す商品販売仲介システムは、露出希望商品の情報をデータベース化して保存した第一のデータベース手段８１と、第一のデータベース手段８１にアクセスしたテレビＣＭ制作者に、任意の対象外商品の情報を閲覧させる第一の閲覧手段と、閲覧した対象外商品の情報に従って特定の対象外商品が露出されるようにして制作されたテレビＣＭの放映が決定した後、その対象外商品の販売主及び価格を含む情報をテレビＣＭ毎にデータベース化して保存する第二のデータベース手段８２と、対象外商品が露出されるようにして制作されたテレビＣＭが放映された後、そのテレビＣＭを視聴した視聴者がネットワークを介して第二のデータベース手段８２にアクセスした際、その視聴者にそのテレビＣＭの対象外商品の情報を閲覧させる第二の閲覧手段と、対象外商品の情報を閲覧した視聴者のネットワークを介した操作によるその対象外商品の購入注文を受け付ける購入受付手段とから成っている。
【００４３】
さらに具体的に説明する。
第一のデータベース手段８１は、図１に示す実施形態におけるＤＢＳ７と同じ構成である。また、第二のデータベース手段８２は、図４に示す実施形態におけるＤＢＳ７と同じ構成である。
本実施形態のシステムも、ＷＷＷサーバ９を備えている。第一の閲覧手段は、ＷＷＷサーバ９と、ＷＷＷサーバ９にインストールされた制作者閲覧用ファイル９１によって構成されている。制作者閲覧用ファイル９１によって表示される閲覧ページの内容は、図１に示す実施形態と同様である。
また、本実施形態におけるＷＷＷサーバ９も、第一のデータベース手段８１への登録を対象外商品の販売主にさせるための登録ページ用ファイル９２を備えている。登録ページ用ファイル９２の構成は、図１に示す実施形態のものと同様である。
【００４４】
さらに、本実施形態における第二の閲覧手段は、ＷＷＷサーバ９と、ＷＷＷサーバ９にインストールされた視聴者閲覧用ファイル９３によって構成されている。視聴者閲覧用ファイル９３の構成は、図４に示す実施形態のものと同様である。
また、本実施形態における購入受付手段は、ＷＷＷサーバ９と、ＷＷＷサーバ９にインストールされた購入受付用ファイル９４とから構成されている。購入受付用ファイル９４の構成は、図４に示す実施形態と同様である。
【００４５】
尚、本実施形態において、第一第二のデータベース手段８１，８２、ＷＷＷサーバ９等は、ルータ３２を介してインターネット３に接続されているとともに、ファイアウォール８００を介してインターネットに接続されたイントラネット８０上設けられている。また、イントラネット８０には、図４に示す実施形態と同様の管理用クライアント８０１が設けられている。
【００４６】
本実施形態の方法の構成及び本実施形態のシステムの動作も、前述した二つの実施形態を統合したものと同様である。即ち、本システムの運営主体は、対象外商品の登録を希望する販売主に登録手段により登録を行わせ、第一のデータベース手段８１を構築する。そして、第一の閲覧手段によりテレビＣＭ制作者に第一のデータベース手段８１を閲覧させ、任意の露出希望商品（単数又は複数）を選ばせ、それを実際に使用してテレビＣＭを制作させる。
制作された対象外商品付きのテレビＣＭの放映が決定された後、運営主体は、管理用コンピュータ８０１を使用して、その対象外商品について第一のデータベース手段８１に保存されたテレビＣＭの情報とともに第二のデータベース手段８２に保存する。そして、そのテレビＣＭが放映された後、視聴者からインターネット３を介してアクセスがあった場合、第二の閲覧手段を利用してその対象外商品の情報をその視聴者に閲覧させる。さらに、その視聴者がその対象外商品をサイト上で購入したいとの希望を持っている場合、購入受付手段により購入注文を受け付ける。受け付けられた購入注文は、管理用クライアント８０１によりその対象外商品の販売主に転送される。
【００４７】
尚、上記実施形態によって提供される商品販売仲介サービスは、現実には、広告代理店やテレビＣＭ制作会社、またはそれらに関連する会社によって提供される可能性が高い。いずれにしても、上記実施形態によれば、テレビ制作会社や広告主にとっては制作費のアップにより良質なテレビＣＭの制作が期待できる一方で、対象外商品の販売主にとっては、テレビＣＭに商品が露出することで商品の売り上げアップが期待できる。さらに、視聴者にとっては、テレビＣＭに登場した対象外商品を容易に購入することができる。つまり、本実施形態は、テレビＣＭに関連した各主体みんながメリットを享受できる極めて優れたイノベーションとなっている。
【００４８】
上記各実施形態では、対象外商品は、グッズ即ち有体物であるように説明されているが、必ずしもこれに限られるものではない。無体商品、即ち、サービスや金融商品（与信サービス等）の場合もあり得る。例えば、あるテレビＣＭのロケ地の対象外商品である場合もある。つまり、そのロケ地の自治体がそのロケ地の宣伝するために用いたり、そのロケ地へのパック旅行を旅行代理店が宣伝するのに利用することもある。さらに、あるテレビＣＭで使用された旅館が、対象外商品である場合もある。もっと言えば、テレビＣＭに登場するタレントが対象外商品である場合もある。即ち、ある無名のタレントをあるテレビＣＭに使ってもらい、そのタレントの宣伝をそのタレントが所属するプロダクションがそのテレビＣＭ以外で行う。そして、そのタレントを使いたいという申し出（購入受付）を購入受付手段で行う場合もある。
【００４９】
尚、上述した各実施形態において、ネットワークはインターネット３であるとして説明したが、これに限られる訳ではない。イントラネットや、エクストラネット（インターネット３を利用した組織内ネット）、さらには衛星を利用したネットワークの場合もあり得る。また、購入受付の構成としては、音声電話による受付も考えられ、オペレータによる受付の他、自動応答システムによる受付等も考えられる。
また、上記各実施形態では、広告の一例としてテレビＣＭを採り上げたが、本願発明はこれに限られるものではない。ラジオ広告、新聞広告、電車内、駅、街頭等に掲示されるポスター類など、任意の広告に適用することができる。また、広告を公衆に露出するとは、制作された広告の内容が需要者に認識されるようにする行為であり、ラジオ広告であれば「放送」、新聞広告であれば「掲載」、ポスター等であれば「掲示」の行為が該当する。尚、テレビ広告以外の広告の場合、協賛金の額は、総制作費の○○％というように決められる場合がある。テレビ、雑誌、新聞、ポスター等の複数のメディアを利用した広告は、特にメディアミックスと呼ばれるが、テレビ広告の制作費も含めて全体の総制作費の○○％というように協賛金が決められる場合もある。
【００５０】
【発明の効果】
以上説明した通り、本願の請求項１乃至４いずれかに記載の発明によれば、広告制作者や広告主にとっては、制作費のアップにより良質な広告が制作できるという効果がある。また、対象外商品の販売主にとっては、広告に商品が露出することでその対象外商品の売り上げアップにつながるという効果がある。
また、請求項５又は６記載の発明によれば、需要者にとっては、広告で露出された対象外商品を容易に購入できるという効果が得られる。また、対象外商品の販売主にとっては、広告に商品が露出することでその対象外商品の売り上げアップにつながるという効果がある。
また、請求項７又は８記載の発明によれば、広告制作会社や広告主にとっては制作費のアップにより良質な広告の制作が期待できる一方で、対象外商品の販売主にとっては、広告に商品が露出することで商品の売り上げアップが期待できる。さらに、需要者にとっては、広告に登場した対象外商品を容易に購入することができる。
【図面の簡単な説明】
【図１】商品宣伝方法の発明の実施形態及びテレビＣＭ制作支援システムの発明の実施形態について示した概略図である。
【図２】図１に示すＤＢＦ１１のファイル構造について示した図である。
【図３】制作者閲覧ページの例を示した概略図である。
【図４】商品販売方法の発明の実施形態及び商品販売システムの発明の実施形態について示した概略図である。
【図５】対象外商品閲覧ページの一例を示す図である。
【図６】対象外商品を表示した対象外商品閲覧ページの例を示す図である。
【図７】購入受付ページの一例を示す図である。
【図８】商品販売仲介方法の発明の実施形態及び商品販売仲介システムの発明の実施形態について示した概略図である。
【符号の説明】
１　ＤＢＳ
１１　ＤＢＦ
２　ＷＷＷサーバ
２１　登録ページ用ファイル
２２　制作者閲覧用ファイル
３　インターネット
５　ＷＷＷサーバ
５１　視聴者閲覧用ファイル
５２　購入受付用ファイル
７　ＤＢＳ
７１　テレビＣＭＤＢＦ
７２　対象外商品ＤＢＦ
７３　購入受付ＤＢＦ
８１　第一のデータベース手段
８２　第二のデータベース手段
９　ＷＷＷサーバ
９１　制作者閲覧用ファイル
９２　登録ページ用ファイル
９３　視聴者閲覧用ファイル
９４　購入受付用ファイル
【図１】
2004046740.tif 000003
【図２】
2004046740.tif 000004
【図３】
2004046740.tif 000005
【図４】
2004046740.tif 000006
【図５】
2004046740.tif 000007
【図６】
2004046740.tif 000008
【図７】
2004046740.tif 000009
【図８】
2004046740.tif 000010
【手続補正書】
【提出日】平成14年12月24日(2002.12.24)
【手続補正１】
【補正対象書類名】明細書
【補正対象項目名】全文
【補正方法】変更
【補正の内容】
【発明の詳細な説明】
【特許請求の範囲】
【請求項１】データベース手段と、登録手段と、閲覧手段とを備えた広告制作支援システムの動作方法であって、
広告において宣伝広告の対象となる商品以外の商品である対象外商品であってその対象外商品の販売主が広告で露出されることを望む商品である露出希望商品の情報を入力させて前記登録手段が前記データベース手段に登録する登録ステップと、
前記データベース手段に登録された情報のうち、露出希望商品を特定する情報及び露出希望商品の販売主を特定する情報を、任意の露出希望商品を選択できるよう前記閲覧手段が広告制作者に閲覧させる閲覧ステップとを実行するものであり、
前記登録ステップは、前記登録手段が、露出希望商品を広告で露出させることに対する販売主の対価支払い義務を販売主に確認させた後に前記情報を前記データベース手段に登録するステップであることを特徴とする広告制作支援システムの動作方法。
【請求項２】データベース手段と、登録手段と、閲覧手段とを備えた広告制作支援システムの動作方法であって、
広告において宣伝広告の対象となる商品以外の商品である対象外商品であってその対象外商品の販売主が広告で露出されることを望む商品である露出希望商品の情報を入力させて前記登録手段が前記データベース手段に登録する登録ステップと、
前記データベース手段に登録された情報のうち、露出希望商品を特定する情報及び露出希望商品の販売主を特定する情報を、任意の露出希望商品を選択できるよう前記閲覧手段が広告制作者に閲覧させる閲覧ステップとを実行するものであり、
前記登録ステップは、その露出希望商品を広告で露出させることに対して販売主が支払う用意のある対価の額の情報も入力させて前記登録手段が前記データベース手段に登録するステップであり、
前記閲覧ステップは、前記データベース手段に登録された前記対価の額ととも前記露出希望商品を特定する情報及び露出希望商品の販売主を特定する情報を前記閲覧手段が広告制作者に閲覧させるステップであることを特徴とする広告制作支援システムの動作方法。
【請求項３】前記対価は、前記露出希望商品がテレビＣＭにおいて露出される場合のそのテレビＣＭの見込み視聴率に応じた金額又は広告放映後の対象外商品の販売実績に応じた金額であることを特徴とする請求項１又は２記載の商品宣伝方法。
【請求項４】広告を制作する際に使用される広告制作支援システムであって、
データベース手段と、
広告において宣伝広告の対象となる商品以外の商品である対象外商品であってその対象外商品の販売主が広告で露出されることを望む商品である露出希望商品の情報を入力させて前記データベース手段に登録する登録手段と、
前記データベース手段に登録された情報のうち、露出希望商品を特定する情報及び露出希望商品の販売主を特定する情報を、任意の対象外商品を選択できるよう広告制作者に閲覧させる閲覧手段とを備えており、
前記登録手段は、露出希望商品を広告で露出させることに対する販売主の対価支払い義務を販売主に確認させた後に前記情報を前記データベース手段に登録する手段であることを特徴とする広告制作支援システム。
【請求項５】広告を制作する際に使用される広告制作支援システムであって、
データベース手段と、
広告において宣伝広告の対象となる商品以外の商品である対象外商品であってその対象外商品の販売主が広告で露出されることを望む商品である露出希望商品の情報を入力させて前記データベース手段に登録する登録手段と、
前記データベース手段に登録された情報のうち、露出希望商品を特定する情報及び露出希望商品の販売主を特定する情報を、任意の対象外商品を選択できるよう広告制作者に閲覧させる閲覧手段とを備えており、
前記登録手段は、その露出希望商品を広告で露出させることに対して販売主が支払う用意のある対価の額の情報も入力させて前記データベース手段に登録する手段であり、
前記閲覧手段は、前記データベース手段に登録された前記対価の額とともに前記露出希望商品を特定する情報及び露出希望商品の販売主を特定する情報を広告制作者に閲覧させる手段であることを特徴とする広告制作支援システム。
【請求項６】前記対価は、前記露出希望商品がテレビＣＭにおいて露出される場合のそのテレビＣＭの見込み視聴率に応じた金額又は広告放映後の対象外商品の販売実績に応じた金額であることを特徴とする請求項４又は５記載の広告制作支援システム。
【請求項７】第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる第一の閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップとを実行する方法であり、
前記登録ステップは、前記登録手段が、露出希望商品を広告で露出させることに対する販売主の対価支払い義務を販売主に確認させた後に前記情報を前記第一のデータベース手段に登録するステップであり、
前記第二の閲覧ステップは、その対象外商品を購入できる店舗に関する情報についても前記第二の閲覧手段が閲覧させるステップであることを特徴とする商品販売仲介システムの動作方法。
【請求項８】第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる第一の閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップとを実行する方法であり、
前記登録ステップは、その露出希望商品を広告で露出させることに対して販売主が支払う用意のある対価の額の情報も入力させて前記登録手段が前記第一のデータベース手段に登録するステップであり、
前記第一の閲覧ステップは、前記第一のデータベース手段に登録された前記対価の額ととも前記露出希望商品を特定する情報及び露出希望商品の販売主を特定する情報を前記閲覧手段が広告制作者に閲覧させるステップであり、
前記第二の閲覧ステップは、その対象外商品を購入できる店舗に関する情報についても前記閲覧手段が閲覧させるステップであることを特徴とする商品販売仲介システムの動作方法。
【請求項９】第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる第一の閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップと、
対象外商品の情報を閲覧した需要者のネットワークを介した操作によるその対象外商品の購入注文を購入受付手段が受け付ける購入受付ステップとを実行する方法であり、
前記登録ステップは、前記登録手段が、露出希望商品を広告で露出させることに対する販売主の対価支払い義務を販売主に確認させた後に前記情報を前記第一のデータベース手段に登録するステップであることを特徴とする商品販売仲介システムの動作方法。
【請求項１０】第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる第一の閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップと、
対象外商品の情報を閲覧した需要者のネットワークを介した操作によるその対象外商品の購入注文を購入受付手段が受け付ける購入受付ステップとを実行する方法であり、
前記登録ステップは、その露出希望商品を広告で露出させることに対して販売主が支払う用意のある対価の額の情報も入力させて前記登録手段が前記第一のデータベース手段に登録するステップであり、
前記第一の閲覧ステップは、前記第一のデータベース手段に登録された前記対価の額ととも前記露出希望商品を特定する情報及び露出希望商品の販売主を特定する情報を前記閲覧手段が広告制作者に閲覧させるステップであることを特徴とする商品販売仲介システムの動作方法。
【請求項１１】前記対価は、前記露出希望商品がテレビＣＭにおいて露出される場合のそのテレビＣＭの見込み視聴率に応じた金額又は広告放映後の対象外商品の販売実績に応じた金額であることを特徴とする請求項７乃至１０いずれかに記載の商品販売仲介システムの動作方法。
【請求項１２】広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段とを備えており、
前記登録手段は、露出希望商品を広告で露出させることに対する販売主の対価支払い義務を販売主に確認させた後に前記情報を前記第一のデータベース手段に登録する手段であり、
前記第二の閲覧手段は、その対象外商品を購入できる店舗に関する情報についても閲覧させるものであることを特徴とする商品販売仲介システム。
【請求項１３】広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段とを備えており、
前記登録手段は、その露出希望商品を広告で露出させることに対して販売主が支払う用意のある対価の額の情報も入力させて前記第一のデータベース手段に登録する手段であり、
前記第一の閲覧手段は、前記第一のデータベース手段に登録された前記対価の額とともに前記露出希望商品を特定する情報及び露出希望商品の販売主を特定する情報を広告制作者に閲覧させる手段であり、
前記第二の閲覧手段は、その対象外商品を購入できる店舗に関する情報についても閲覧させるものであることを特徴とする商品販売仲介システム。
【請求項１４】広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段と、
対象外商品の情報を閲覧した需要者のネットワークを介した操作によるその対象外商品の購入注文を受け付ける購入受付手段を備えており、
前記登録手段は、露出希望商品を広告で露出させることに対する販売主の対価支払い義務を販売主に確認させた後に前記情報を前記第一のデータベース手段に登録する手段であることを特徴とする商品販売仲介システム。
【請求項１５】広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段と、
対象外商品の情報を閲覧した需要者のネットワークを介した操作によるその対象外商品の購入注文を受け付ける購入受付手段を備えており、
前記登録手段は、その露出希望商品を広告で露出させることに対して販売主が支払う用意のある対価の額の情報も入力させて前記第一のデータベース手段に登録する手段であり、
前記第一の閲覧手段は、前記第一のデータベース手段に登録された前記対価の額とともに前記露出希望商品を特定する情報及び露出希望商品の販売主を特定する情報を広告制作者に閲覧させる手段であることを特徴とする商品販売仲介システム。
【請求項１６】前記対価は、前記露出希望商品がテレビＣＭにおいて露出される場合のそのテレビＣＭの見込み視聴率に応じた金額又は広告放映後の対象外商品の販売実績に応じた金額であることを特徴とする請求項１２乃至１５いずれかに記載の商品販売仲介システム。
【発明の詳細な説明】
【０００１】
【発明の属する技術分野】
本願の発明は、テレビＣＭ等の広告の制作や広告に関連したビジネスに関するものである。
【０００２】
【発明の背景】
広告は、大量消費社会とともに、マーケティングの最も重要な要素となって久しい。特に、テレビＣＭは、昨今の多チャンネル時代を迎え、ますます重要性が高まっている。
広告においては、その広告で宣伝の対象となっている商品以外の商品（本明細書において対象外商品と呼ぶ）の売れ行きが意外にも伸びることがある。例えば、あるテレビＣＭで使われた楽曲（いわゆるＣＭソング）のＣＤの売り上げが伸びたりといった現象である。このようなことは、ＣＭソング以外でも起こりうる。例えば、ＣＭに出ていたタレントが身につけていた洋服や小物類に人気が出て売り上げが伸びる、という具合である。
【０００３】
【発明が解決しょうとする課題】
しかしながら、そのテレビＣＭにおいて宣伝広告の対象となっている商品そのものの場合はまだしも、単にテレビ画面に映っているだけのような対象外商品の場合、その商品の販売主がどこの会社で、どこで買えるのかは、視聴者にとってわからない。従って、テレビ画面に映っただけの洋服や小物類等が視聴者に意外にも気に入られた場合でも、その商品に売り上げアップには結びつかないことが多い。このようなことは、テレビＣＭ以外の広告でもあり得る。
一方、テレビＣＭによる宣伝広告は大きなインパクトを持つものの、その制作費や放映料は高額になり易く、経営規模の小さい企業では容易に利用できない面がある。特に、人気のあるタレントを使用することがインパクトを大きくする上で重要であるが、その分制作費も高くなってしまう。このようなことは、テレビＣＭ以外でも一般的に言える。
本願の発明は、係る課題を解決するために成されたものであり、広告を利用したユニークな商品販売のルートを提供することにより、広告対象でない商品についても売り上げアップさせることを可能にしたり、広告主の出す制作費が比較的少なくても良質な広告が制作できるようにする技術的意義がある。
【０００４】
【課題を解決するための手段】
上記課題を解決するため、本願の請求項１記載の発明は、データベース手段と、登録手段と、閲覧手段とを備えた広告制作支援システムの動作方法であって、
広告において宣伝広告の対象となる商品以外の商品である対象外商品であってその対象外商品の販売主が広告で露出されることを望む商品である露出希望商品の情報を入力させて前記登録手段が前記データベース手段に登録する登録ステップと、
前記データベース手段に登録された情報のうち、露出希望商品を特定する情報及び露出希望商品の販売主を特定する情報を、任意の露出希望商品を選択できるよう前記閲覧手段が広告制作者に閲覧させる閲覧ステップとを実行するものであり、
前記登録ステップは、前記登録手段が、露出希望商品を広告で露出させることに対する販売主の対価支払い義務を販売主に確認させた後に前記情報を前記データベース手段に登録するステップであるという構成を有する。
また、上記課題を解決するため、請求項２記載の発明は、データベース手段と、登録手段と、閲覧手段とを備えた広告制作支援システムの動作方法であって、
広告において宣伝広告の対象となる商品以外の商品である対象外商品であってその対象外商品の販売主が広告で露出されることを望む商品である露出希望商品の情報を入力させて前記登録手段が前記データベース手段に登録する登録ステップと、
前記データベース手段に登録された情報のうち、露出希望商品を特定する情報及び露出希望商品の販売主を特定する情報を、任意の露出希望商品を選択できるよう前記閲覧手段が広告制作者に閲覧させる閲覧ステップとを実行するものであり、
前記登録ステップは、その露出希望商品を広告で露出させることに対して販売主が支払う用意のある対価の額の情報も入力させて前記登録手段が前記データベース手段に登録するステップであり、
前記閲覧ステップは、前記データベース手段に登録された前記対価の額ととも前記露出希望商品を特定する情報及び露出希望商品の販売主を特定する情報を前記閲覧手段が広告制作者に閲覧させるステップであるという構成を有する。
また、上記課題を解決するため、請求項３記載の発明は、前記請求項１又は２の構成において、前記対価は、前記露出希望商品がテレビＣＭにおいて露出される場合のそのテレビＣＭの見込み視聴率に応じた金額又は広告放映後の対象外商品の販売実績に応じた金額であるという構成を有する。
また、上記課題を解決するため、請求項４記載の発明は、広告を制作する際に使用される広告制作支援システムであって、
データベース手段と、
広告において宣伝広告の対象となる商品以外の商品である対象外商品であってその対象外商品の販売主が広告で露出されることを望む商品である露出希望商品の情報を入力させて前記データベース手段に登録する登録手段と、
前記データベース手段に登録された情報のうち、露出希望商品を特定する情報及び露出希望商品の販売主を特定する情報を、任意の対象外商品を選択できるよう広告制作者に閲覧させる閲覧手段とを備えており、
前記登録手段は、露出希望商品を広告で露出させることに対する販売主の対価支払い義務を販売主に確認させた後に前記情報を前記データベース手段に登録する手段であるという構成を有する。
また、上記課題を解決するため、請求項５記載の発明は、広告を制作する際に使用される広告制作支援システムであって、
データベース手段と、
広告において宣伝広告の対象となる商品以外の商品である対象外商品であってその対象外商品の販売主が広告で露出されることを望む商品である露出希望商品の情報を入力させて前記データベース手段に登録する登録手段と、
前記データベース手段に登録された情報のうち、露出希望商品を特定する情報及び露出希望商品の販売主を特定する情報を、任意の対象外商品を選択できるよう広告制作者に閲覧させる閲覧手段とを備えており、
前記登録手段は、その露出希望商品を広告で露出させることに対して販売主が支払う用意のある対価の額の情報も入力させて前記データベース手段に登録する手段であり、
前記閲覧手段は、前記データベース手段に登録された前記対価の額とともに前記露出希望商品を特定する情報及び露出希望商品の販売主を特定する情報を広告制作者に閲覧させる手段であるという構成を有する。
また、上記課題を解決するため、請求項６記載の発明は、前記請求項４又は５の構成において、前記対価は、前記露出希望商品がテレビＣＭにおいて露出される場合のそのテレビＣＭの見込み視聴率に応じた金額又は広告放映後の対象外商品の販売実績に応じた金額であるという構成を有する。
また、上記課題を解決するため、請求項７記載の発明は、第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップとを実行する方法であり、
前記登録ステップは、前記登録手段が、露出希望商品を広告で露出させることに対する販売主の対価支払い義務を販売主に確認させた後に前記情報を前記第一のデータベース手段に登録するステップであり、
前記第二の閲覧ステップは、その対象外商品を購入できる店舗に関する情報についても前記第二の閲覧手段が閲覧させるステップであるという構成を有する。
また、上記課題を解決するため、請求項８記載の発明は、第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる第一の閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップとを実行する方法であり、
前記登録ステップは、その露出希望商品を広告で露出させることに対して販売主が支払う用意のある対価の額の情報も入力させて前記登録手段が前記第一のデータベース手段に登録するステップであり、
前記第一の閲覧ステップは、前記第一のデータベース手段に登録された前記対価の額ととも前記露出希望商品を特定する情報及び露出希望商品の販売主を特定する情報を前記第一の閲覧手段が広告制作者に閲覧させるステップであり、
前記第二の閲覧ステップは、その対象外商品を購入できる店舗に関する情報についても前記第二の閲覧手段が閲覧させるステップであるという構成を有する。
また、上記課題を解決するため、請求項９記載の発明は、第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる第一の閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップと、
対象外商品の情報を閲覧した需要者のネットワークを介した操作によるその対象外商品の購入注文を購入受付手段が受け付ける購入受付ステップとを実行する方法であり、
前記登録ステップは、前記登録手段が、露出希望商品を広告で露出させることに対する販売主の対価支払い義務を販売主に確認させた後に前記情報を前記第一のデータベース手段に登録するステップであるという構成を有する。
また、上記課題を解決するため、請求項１０記載の発明は、第一のデータベース手段と、登録手段と、第一の閲覧手段と、宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、第二の閲覧手段とを備えた商品販売仲介システムの動作方法であって、
対象外商品であってその対象外商品の販売主が広告で露出されることを望む商品である露出希望商品の情報を入力させて前記登録手段が前記第一のデータベース手段に登録する登録ステップと、
前記第一のデータベース手段に登録された情報のうち、露出希望商品を特定する情報及び露出希望商品の販売主を特定する情報を、任意の露出希望商品を選択できるよう前記第一の閲覧手段が広告制作者に閲覧させる第一の閲覧ステップと、
前記広告を認識した需要者がネットワークを介して前記第二のデータベース手段にアクセスした際、その需要者にその広告の対象外商品の情報を第二の前記閲覧手段が閲覧させる第二の閲覧ステップと、
対象外商品の情報を閲覧した需要者のネットワークを介した操作によるその対象外商品の購入注文を購入受付手段が受け付ける購入受付ステップとを実行する方法であり、
前記登録ステップは、その露出希望商品を広告で露出させることに対して販売主が支払う用意のある対価の額の情報も入力させて前記登録手段が前記第一のデータベース手段に登録するステップであり、
前記第一の閲覧ステップは、前記データベース手段に登録された前記対価の額ととも前記露出希望商品を特定する情報及び露出希望商品の販売主を特定する情報を前記閲覧手段が広告制作者に閲覧させるステップであるという構成を有する。
また、上記課題を解決するため、請求項１１記載の発明は、前記請求項７乃至１０いずれかの構成において、前記対価は、前記露出希望商品がテレビＣＭにおいて露出される場合のそのテレビＣＭの見込み視聴率に応じた金額又は広告放映後の対象外商品の販売実績に応じた金額であるという構成を有する。
また、上記課題を解決するため、請求項１２記載の発明は、広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段とを備えており、
前記登録手段は、露出希望商品を広告で露出させることに対する販売主の対価支払い義務を販売主に確認させた後に前記情報を前記第一のデータベース手段に登録する手段であり、
前記第二の閲覧手段は、その対象外商品を購入できる店舗に関する情報についても閲覧させるものであるという構成を有する。
また、上記課題を解決するため、請求項１３記載の発明は、広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段とを備えており、
前記登録手段は、その露出希望商品を広告で露出させることに対して販売主が支払う用意のある対価の額の情報も入力させて前記第一のデータベース手段に登録する手段であり、
前記第一の閲覧手段は、前記第一のデータベース手段に登録された前記対価の額とともに前記露出希望商品を特定する情報及び露出希望商品の販売主を特定する情報を広告制作者に閲覧させる手段であり、
前記第二の閲覧手段は、その対象外商品を購入できる店舗に関する情報についても閲覧させるものであるという構成を有する。
また、上記課題を解決するため、請求項１４記載の発明は、広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段と、
対象外商品の情報を閲覧した需要者のネットワークを介した操作によるその対象外商品の購入注文を受け付ける購入受付手段を備えており、
前記登録手段は、露出希望商品を広告で露出させることに対する販売主の対価支払い義務を販売主に確認させた後に前記情報を前記第一のデータベース手段に登録する手段であるという構成を有する。
また、上記課題を解決するため、請求項１５記載の発明は、広告を利用した商品の販売を仲介する商品販売仲介システムであって、
第一のデータベース手段と、
広告において宣伝広告の対象となる商品以外の商品である対象外商品であってその対象外商品の販売主が広告で露出されることを望む商品である露出希望商品の情報を入力させて前記第一のデータベース手段に登録する登録手段と、
前記第一のデータベース手段に登録された情報のうち、露出希望商品を特定する情報及び露出希望商品の販売主を特定する情報を、任意の対象外商品を選択できるよう広告制作者に閲覧させる第一の閲覧手段と、
宣伝広告の対象とされている商品以外の商品である対象外商品が需要者に認識される状態で公衆に露出させた広告毎に当該対象外商品の販売主及び価格を含む対象外商品の情報を登録した第二のデータベース手段と、
前記広告を認識した需要者がネットワークを介して前記第二のデータベース手段にアクセスした際、その需要者にその広告の対象外商品の情報を閲覧させる第二の閲覧手段と、
対象外商品の情報を閲覧した需要者のネットワークを介した操作によるその対象外商品の購入注文を受け付ける購入受付手段を備えており、
前記登録手段は、その露出希望商品を広告で露出させることに対して販売主が支払う用意のある対価の額の情報も入力させて前記第一のデータベース手段に登録する手段であり、
前記第一の閲覧手段は、前記第一のデータベース手段に登録された前記対価の額とともに前記露出希望商品を特定する情報及び露出希望商品の販売主を特定する情報を広告制作者に閲覧させる手段であるという構成を有する。
また、上記課題を解決するため、請求項１６記載の発明は、前記請求項１２乃至１５いずれかの構成において、前記対価は、前記露出希望商品がテレビＣＭにおいて露出される場合のそのテレビＣＭの見込み視聴率に応じた金額又は広告放映後の対象外商品の販売実績に応じた金額であるという構成を有する。
【０００５】
【発明の実施の形態】
以下、本願発明の実施の形態（以下、実施形態）について説明する。
まず、広告制作支援システムの発明とその動作方法の発明の実施形態について説明する。以下に説明する実施形態では、対象外商品が露出される広告の一例としてテレビＣＭを採り上げている。従って、広告制作支援システムは、具体的にはテレビＣＭ制作支援システムとなっている。図１は、広告制作支援システムの発明の実施形態とその動作方法の発明の実施形態について示した概略図である。
【０００６】
図１に示す広告制作システムは、データベース手段と、登録手段と、閲覧手段とを備えている。このような広告制作支援システムの動作方法は、テレビＣＭにおいて宣伝広告の対象となる商品以外の商品である対象外商品であってその対象外商品の販売主がテレビＣＭで露出されることを望む商品（以下、露出希望商品）の情報を入力させて登録手段がデータベース手段に登録する登録ステップと、データベース手段に登録された情報のうち、露出希望商品を特定する情報及び露出希望商品の販売主を特定する情報を、任意の露出希望商品を選択できるよう閲覧手段がテレビＣＭ制作者に閲覧させる閲覧ステップとを実行するものである。
【０００７】
まず、データベース手段は、ソフトウェアであるデータベース管理システム（以下、ＤＢＭＳ）１０がインストールされたデータベースサーバ（以下、ＤＢＳ）１である。ＤＢＳ１は、所定の構造のデータベースファイル（以下、ＤＢＦ）１１を備えている。図２は、図１に示すＤＢＦ１１のファイル構造について示した図である。
図２に示すように、ＤＢＦ１１は、
・商品ジャンル
・商品名称
・型式等
・色
・販売価格
・販売主名称
・販売主住所
・販売主電話番号
・販売主Ｅメールアドレス
等のフィールドから成るレコードを多数登録したものである。また、露出希望商品の写真のイメージデータもＤＢＳ１に登録されている。これらは、イメージデータのみ集めたイメージファイル（不図示）に登録されており、露出希望商品のＤＢＦ１１に関連づけられている。尚、ＤＭＢＳ１０は、いわゆるリレーショナルなもの（ＲＤＢＭＳ）である。
【０００８】
本実施形態の大きな特徴点は、対象外商品をテレビＣＭで露出させることに対して販売主が支払う用意のある対価の額の情報が保存されている。加えて、ＤＢＦ１１は、
・支払い方式
・協賛金額
・単価
・予想個数
・支払い期間
等のフィールドを有している。
【０００９】
また、図１に示すシステムは、露出希望商品の情報を入力させてＤＢＳ１への登録を行うための手段（以下、登録手段）が設けられている。登録手段は、本実施形態では、ＷＷＷサーバ２で構成されている。ＷＷＷサーバ２は、ルータ３０を介してインターネット３に接続されているとともに、ファイアウォール４０を介してイントラネット４に接続されている。ＤＢＳ１は、このイントラネット４上に接続されている。ＷＷＷサーバ２には、後述するＨＴＭＬファイルを表示するためのプログラムであるｈｔｔｐｄ２０がインストールされている。ＷＷＷサーバ２で提供されるサイトは、露出希望商品の登録のメリットを説明すウェッブページを閲覧させるとともに、ＤＢＳ１への登録のための入力画面を提供するインタラクティブなサイトとなっている。
【００１０】
ＷＷＷサーバ２が提供するサイトのトップページには、露出希望商品を登録すると、テレビＣＭで商品が使われて露出され、商品の売り上げアップにつながる可能性があること、及び、そのためには協賛金の支払いか販売実績に応じたロイヤリティの支払いが必要であることなどが説明されている。そして、このトップページから、露出希望商品ＤＢＳ１への登録のための入力用のページ（以下、登録ページ）に跳べるようになっている。即ち、ＷＷＷサーバ２は、登録ページを表示するためのＨＴＭＬファイルである登録ページ用ファイル２１を備えている。
登録ページでは、前述した露出希望商品に関する
・商品ジャンル
・商品名称
・型式等
・色
・販売価格
・販売主名称
・販売主住所
・販売主電話番号
・販売主Ｅメールアドレス
等の情報の入力欄と、露出希望商品のイメージを貼り付ける欄がある。これらの情報を入力してＯＫボタンをクリックすると、露出に対して対価の支払い義務があることを確認する画面（以下、義務確認画面）が表示される。義務確認画面では、露出に対する対価の額を登録するかどうかを選択する欄があり、「登録する」を選択すると、対価の額に関する情報を入力するページが表示される。このページでは、支払方式を選択する欄がある。この欄では、協賛金方式とロイヤリティ方式のいずれかを選ぶようになっている。協賛金方式は、テレビＣＭに対象外商品として採用された場合、事前に一括して支払う方式であり、ロイヤリティ方式は、テレビＣＭの放映後、販売実績に応じて支払う方式である。
【００１１】
協賛金方式を選択すると、次に、対価の額を入力する欄が表示される。対価の額は、制作されるテレビＣＭの見込み視聴率に応じた金額とされる。通常は、ＧＲＰ（Ｇｒｏｓｓ　Ｒａｔｉｎｇ　Ｐｏｉｎｔ）に応じた金額とされる。ＧＲＰは、そのテレビＣＭが放映される時間帯の平均視聴率ｒ、その時間帯で放映される回数ｔとしたとき、
ＧＲＰ＝Σｒｎｔｎ
で表される。つまり、テレビＣＭが放映される際の平均視聴率に放映回数を掛けたものを放映枠毎に加算したものである。
例えば、
ＧＲＰ＝１０００〜８００→協賛金５００万円
ＧＲＰ＝８００〜６００→協賛金３００万円
ＧＲＰ＝６００〜４００→協賛金１００万円
というように設定され、露出を希望する販売主がいずれかを選ぶようになっている。
【００１２】
また、ロイヤリティ方式の場合、次の三つの情報を入力する欄が表示される。
・単価
・支払い期間
・予想個数
「単価」は、その商品が対象外商品として露出しているテレビＣＭが放映された後、その商品が一個売れる毎に支払う金額である。「単価」は、通常、商品の価格の数パーセント程度である。例えば、１個１０００円の商品の場合、５０円程度が「単価」とされる。「支払い期間」は、ロイヤリティ支払いの対象となる販売期間である。「支払い期間」の始期は、通常そのテレビＣＭの放映開始と同時なので、ここでは、「支払い期間」の終期を入力する。終期は、通常、テレビＣＭの放映終了から１ヶ月乃至数ヶ月程度である。
【００１３】
これらの情報が入力され、ＯＫボタンがクリックされると、データがＷＷＷサーバ２に送られる。ＷＷＷサーバ２は、ＣＧＩ（Ｃｏｍｍｏｎ　Ｇａｔｅｗａｙ　Ｉｎｔｅｒｆａｃｅ）２００とＣＧＩプログラム２０１を備えており、送られたデータを所定の形式に変換してＤＢＳ１に送る。ＤＢＳ１は、送られたデータを新しいレコードとして追加して登録する。
【００１４】
ＷＷＷサーバ２は、このような露出希望商品の登録を常に募っており、ＤＢＳ１には、多数の露出希望商品がデータベース化されて保存されることになる。テレビＣＭ制作者は、テレビＣＭの制作に際し、閲覧手段を利用してＤＢＳ１内のデータを閲覧する。閲覧手段は、本実施形態では、ＷＷＷサーバ２と、ＷＷＷサーバ２にインストールされた制作者閲覧用ファイル２２とから構成されている。ＷＷＷサーバ２は、テレビＣＭ制作者用のサイトを提供している。ＤＢＳ１内のデータの閲覧もこのサイトで行われる。テレビＣＭ制作者用のサイトは、会員制になっている。このテレビＣＭ制作支援サービスを運営する事業者は、サービスの提供を欲するテレビＣＭ制作者を予め募り、会員になってもらう。会員になったテレビＣＭ制作者には、会員ＩＤとパスワードを発行する。
【００１５】
本システムは、認証サーバ４１を備えている。テレビＣＭ制作者は、パソコン等の情報端末３００によりインターネットを介してＷＷＷサーバ２にアクセスする。ＷＷＷサーバ２によりトップページが表示されている状態で、テレビＣＭ制作者用のサイトへのリンクボタンがクリックされると、会員ＩＤとパスワードを入力する欄が表示される。会員ＩＤとパスワードが入力されて送信ボタンがクリックされると、認証サーバ４１が動作し、会員ＩＤとパスワードが正しいかどうか判断し、正しければ、テレビＣＭ制作者が露出希望商品を閲覧するためのページ（以下、制作者閲覧ページ）を表示する制作者閲覧用ファイル２２が送られて情報端末３００に表示される。
【００１６】
図３は、制作者閲覧ページの例を示した概略図である。本実施形態では、露出希望商品は、ジャンル別に閲覧されるようになっている。図３に示すように、制作者閲覧ページには、商品ジャンルを入力する欄がある。商品ジャンルの入力欄は、プルダウンメニュー表示となっており、プルダウンしていずれかの商品ジャンルを選択する。「ＯＫ」ボタンをクリックすると、図３に示すようにがリスト表示される。
図３に示すように、本実施形態では、「販売主名称」、「販売主住所」等の前述した各フィールドの情報がリスト表示されるようになっている。図３に示すように、制作者閲覧ページでは、「イメージ」のリンクボタンがある。このボタンをクリックすると、その露出希望商品のイメージ情報が表示されるようになっている。イメージ情報は、その商品の写真である場合が多い。テレビＣＭ制作者は、リスト表示を閲覧しながら、任意の露出希望商品を選び、その販売主との交渉に入る。交渉は、対象外商品を露出させることの対価の額や支払方式についてである。交渉がまとまれば、テレビＣＭ制作者は、その対象外商品を露出させてテレビＣＭを実際に制作する。例えば、化粧品のテレビＣＭに登場するタレントに、対象外商品としての帽子をかぶってもらうという具合である。
【００１７】
制作されたテレビＣＭは、周知の方法で放映される。その後、そのテレビＣＭにおいてその対象外商品が露出されている旨が、そのテレビＣＭ以外の手段で宣伝される。これは、通常、その対象外商品の露出を希望した販売主が行う。例えば、その販売主がその対象外商品のカタログ中で紹介したり、その販売主のホームページで紹介したりする。表現としては、例えば帽子の場合、「弊社の〇〇は、××社のテレビＣＭでタレントの△△がかぶっています。」というような表現になる。勿論、テレビＣＭの制作に先立ち、そのテレビＣＭの広告主（スポンサー）に、対象外商品を露出させることに加え、そのことをその対象外商品の販売主が宣伝することを、了承してもらう。尚、対象外商品の販売主が、そのテレビＣＭのあるカット（静止画）を使用したり、そのテレビＣＭそのもの（動画）をホームページに掲載したりすることは、著作権上の問題を生ずるから、そのテレビＣＭの広告主の了解なしには行えない。また、タレントの名前を出す場合、そのタレントが所属するプロダクションの了解が必要な場合もある。
【００１８】
いずれにしても、販売主にとっては、テレビＣＭに対象外商品が露出していることで、対象外商品の売り上げアップにつながる。また、テレビＣＭを広告主として利用するには、大きな金額の制作費と放映料を負担しなければならないが、本実施形態において対象外商品として露出させるだけであれば、それほど多大が費用はかからない。従って、中小企業などにとってはメリットが大きい。
【００１９】
一方、テレビＣＭ制作者としては、対象外商品の販売主から協賛金ないしはロイヤリティが入る。この分は制作費に加算されるため、潤沢な制作費を使用してより良いテレビＣＭを制作することが可能となる。例えば、あるテレビＣＭを制作する際に海外ロケが好ましいにもかかわらず、広告主から提供される制作費ではそれがまかなえない場合がある。このような場合、本実施形態のように対象外商品の露出による協賛金又はロイヤリティを得ることで制作費を増やし、海外ロケを可能することができる。広告主の側にとっても、限られた広告予算の中でより効果的なテレビＣＭを放映することができるようになるというメリットがある。
【００２０】
尚、テレビＣＭ中で対象外商品の販売主等の情報を視聴者に積極的に告知することは、法令上問題が生ずる場合がある。即ち、公正な競争を確保する観点から、現在、二以上のスポンサーの商品の宣伝を一つのテレビＣＭにおいて行うこと（いわゆるダブルスポンサー）は禁じられている。従って、テレビＣＭ中で対象外商品の販売主等の情報を視聴者に積極的に告知することは、ダブルスポンサーになりかねないので、避けるべきである。
【００２１】
次に、特許請求されている発明ではないが、商品販売システムの発明とその動作方法方法の発明の実施形態について説明する。図４は、商品販売システムの発明の実施形態とその動作方法の発明の実施形態について示した概略図である。
図４に示す商品販売システムは、対象外商品が視聴者に認識される状態で放映されたテレビＣＭ毎に当該対象外商品の販売主及び価格を含む対象外商品の情報を登録したデータベース手段と、閲覧手段と、購入受付手段とを備えている。
【００２２】
このような商品販売システムの動作方法は、放映されたテレビＣＭを認識した視聴者がネットワークを介してデータベース手段にアクセスした際、その視聴者にその広告の対象外商品の情報を閲覧手段が閲覧させる閲覧ステップを実行する方法であり、閲覧ステップはその対象外商品を購入できる店舗に関する情報についても閲覧手段が閲覧させるものであるか、又は、対象外商品の情報を閲覧した視聴者のネットワークを介した操作によるその対象外商品の購入注文を購入受付手段が受け付ける購入受付ステップを実行するものである。
【００２３】
本実施形態のシステムは、ルータ３１を介してインターネット３につながっているＷＷＷサーバ５を備えている。閲覧手段は、このＷＷＷサーバ５によって構成されている。購入受付手段も、このＷＷＷサーバ５によって構成されている。また、ＷＷＷサーバ５には、ファイアウォール６０を介してイントラネット６が接続されており、このイントラネット上６には、データベースサーバ（以下、ＤＢＳ）７が設けられている。ＷＷＷサーバ５は、ＣＧＩ５００と、ＣＧＩ５００に従って実行される幾つかのＣＧＩプログラム５０１を備えている。また、データベース手段は、ＤＢＳ７によって構成されている。ＤＢＳ７には、リレーショナルなＤＢＭＳ７０がインストールされている。
【００２４】
ＤＢＳ７は、テレビＣＭＤＢＦ７１を備えている。テレビＣＭＤＢＦ７１は、このシステムによって販売される商品が対象外商品として露出しているテレビＣＭのデータをデータベース化したファイルである。テレビＣＭＤＢＦ７１は、このデータをテレビＣＭ毎に登録している。具体的には、
・テレビＣＭコード
・広告主
・ＣＭ対象商品
・放映期間
・ＣＭ説明
・対象外商品１
・対象外商品２
・対象外商品３
・対象外商品４
・対象外商品５
・対象外商品６
・対象外商品７
・対象外商品８
・対象外商品９
・対象外商品１０
等のフィールドから成るレコードをテレビＣＭ毎に登録している。「広告主」、「ＣＭ対象商品」、「放映期間」、「ＣＭ説明」は、テレビＣＭを特定するための情報である。「広告主」は、そのテレビＣＭの宣伝対象の商品の発売元の会社、「ＣＭ対象商品」は、そのテレビＣＭの宣伝対象の商品の名称（多くの場合、商標）である。「ＣＭ説明」は、ＤＢＳ７にアクセスした者に対して、テレビＣＭの特定がし易いようにするための情報である。例えば、「タレントの〇〇が××の格好で出ている△△のＣＭ」というような短い説明文が登録される。
【００２５】
「対象外商品１〜１０」は、そのテレビＣＭで対象外商品として露出された商品のデータである。露出された対象外商品が１つのみの場合には、「対象外商品１」にのみデータが登録され、２つの場合には、「対象外商品１」と「対象外商品２」にデータが登録される。本実施形態では、１つのテレビＣＭに対象外商品を１０個まで登録できるようになっているが、１１個以上登録できるようにしても勿論良い。対象外商品１〜１０に登録されるのデータは、英数字等からなる商品コード商品であり、対象外商品を特定するためのデータである。
【００２６】
また、ＤＢＳ７は、テレビＣＭＤＢＦ７１に関連付けられたデータベースファイルとして、対象外商品ＤＢＦ７２を備えている。対象外商品ＤＢＦ７２は、
・テレビＣＭコード
・商品コード
・商品名称
・型式等
・色
・販売価格
・販売主名称
・販売主住所
・販売主電話番号
・販売主ＨＰのＵＲＬ
・販売主Ｅメールアドレス
等のフィールドから成るレコードを幾つか登録したものとなっている。上記の例では、１つのテレビＣＭに登録できる対象外商品の数は１０までなので、テレビＣＭＤＢＦ７１内の１つのテレビＣＭのレコードに関連付けて設けられる対象外商品ＤＢＦ７２の数は１０までとなる。
ＷＷＷサーバ５は、テレビＣＭに対象外商品として露出した商品を宣伝し、希望に応じて購入の注文を受け付けるためのサイトを提供するものである。このサイトのトップページは、「テレビＣＭ関連商品購入」のようなキーワードでヒットするようにインターネット３上の検索サイトに登録されている。
【００２７】
あるテレビＣＭを見て、そのテレビＣＭに出ていた対象外商品に興味を持ち、調べてみたいと思ったり、買いたいと思ったりした者は、ブラウザを備えたパソコンや、インターネット対応の携帯電話、ＰＤＡ（Ｐｅｒｓｏｎａｌ　Ｄａｔａ　Ａｓｉｓｔａｎｔ）等の情報端末３００を使用してこのサイトにアクセスする。そして、以下に示すような方法により対象外商品の情報を得たり、購入したりすることができる。
【００２８】
具体的に説明すると、ＷＷＷサーバ５は、テレビＣＭを見た視聴者にテレビＣＭＤＢＳ７内のデータをインターネット３を介して閲覧させるためのＨＴＭＬファイル（以下、視聴者閲覧用ファイル）５１を有している。視聴者閲覧用ファイル５１は、トップページにリンクして対象外商品閲覧ページを表示するものである。図５は、対象外商品閲覧ページの一例を示す図である。
図５に示すように、対象外商品閲覧ページは、閲覧する対象外商品を検索することが可能となっている。即ち、図５に示すように、「商品の出ているテレビＣＭを検索して下さい。」という表示がある。そして、その下にテキストボックスがあり、さらにその下に「検索する」のボタンが設けられている。テキストボックスの下には、検索キーのジャンルを指定する部分がある。検索キーのジャンルとは、図５に示すように、「商品名（商標）」、「広告主」、「出ているタレント」のラジオボタンがあり、検索キーのジャンルを選ぶようになっている。
【００２９】
図５において、特定の検索キーのジャンルを選んだ上でテキストボックスに検索キーを入力し、「検索する」をクリックすると、ＣＧＩプログラム５０１が起動してデータが所定の形式に変換されてＤＢＳ７に送られ、テレビＣＭＤＢＦ７１内のレコードの検索が行われる。例えば、「○○」というチョコレートのテレビＣＭでタレントが着ていた服について見たいのであれば、「商品名（商標）」を選択し、テキストボックスで「○○」と入力して「検索する」ボタンをクリックする。
【００３０】
検索の結果、該当するレコードがあれば、ＣＧＩプログラム５０１がそのレコードのデータをＨＴＭＬに変換して、アクセスした情報端末３００に表示する。表示するのは、「広告主」、「ＣＭ対象商品」、「放映期間」、「ＣＭ説明」の各フィールドの情報であり、一行に表示される。尚、場合によっては、該当するレコードが２以上になる場合もある。一つの商品について二以上の異なるテレビＣＭが同時期にオンエアされていたり、図５に示すように、「広告主」のジャンルで検索した場合にその広告主が二以上の異なるテレビＣＭを同時期にオンエアしていたりする場合が該当する。
【００３１】
尚、図５において、実際に放映されている（又は放映された）テレビＣＭの１カットや動画を閲覧できるようなリンクボタンを設けて、テレビＣＭ自体をこのサイト上で確認できるようにすると、テレビＣＭの確認のためには有効である。しかしながら、これには広告主の了解や出ているタレントのプロダクションの了解が必要な場合が多い。そこで、図５に示すリスト中に広告主のホームページ（ＨＰ）にリンクするリンクボタンを設けることが考えられる。広告主のＨＰでは、自社の商品についてテレビ広告と同様の広告をしていたり、テレビ広告の説明をしていたりすることが多いから、広告主のＨＰに一旦跳んで広告を確認するようにすると良い。
図５に示すように、テレビＣＭの情報を表示した行の末尾には、「閲覧する」のリンクボタンがある。このリンクボタンをクリックすると、そのテレビＣＭで露出されている対象外商品の情報が表示されるようになっている。具体的には、そのテレビＣＭのＣＭコードがメモリ変数に格納されており、ＣＧＩプログラム５０１が起動してＣＭコードを読み出し、それを検索キーにして対象外商品ＤＢＦ７２を検索する。そして、該当するＣＭコードのレコードのデータを全て読み込む。読み込まれたデータは、ＣＧＩプログラム５０１によりＨＴＭＬ形式に変換され、アクセスしてきた情報端末３００に送られて表示される。
【００３２】
図６は、対象外商品を表示した対象外商品閲覧ページの例を示す図である。図６に示す例では、一つのテレビＣＭで露出されている対象外商品が複数リスト表示されている。情報としては、「商品名称」、「販売価格」、「販売主名称」、「販売主住所」、「販売主電話番号」、「販売主ＨＰのＵＲＬ」等である。ここで、「販売主ＨＰのＵＲＬ」をクリックすると、その販売主のホームページに跳び、そのホームページが情報端末３００に表示されることになる。そして、そのホームページ上でその対象外商品の内容を知ることができる。
また、「販売主ＨＰのＵＲＬ」の横には、「店舗情報」のリンクボタンが設けられている。ここをクリックすると、その対象外商品を購入することのできる店舗の情報が閲覧できるようになっている。店舗の情報とは、店名、所在地、最寄り駅等である。店舗の場所を示す地図も閲覧できるようにしておくと、好適である。尚、購入できる店舗は、１つに限らず、複数ある場合もある。
【００３３】
図６に示す例では、対象外商品の情報が単にリスト表示されているだけだが、テレビＣＭの広告主やタレントのプロダクションの了解が得られれば、テレビＣＭの１カット（静止画）を表示し、矢印等を使って対象外商品を指し示しながら情報を表示するようにすると好適である。
【００３４】
また、図４に示すように、ＷＷＷサーバ５は、購入受付ページを表示するためのＨＴＭＬファイル（以下、購入受付用ファイル）５２を備えている。そして、図６に示すように、対象外商品の情報のリストの末尾には、「ここで購入」のリンクボタンがある。「ここで購入」のリンクボタンがクリックされると、購入受付用ファイル５２が送られ、購入受付ページがインターネット３を介して情報端末３００に表示されるようになっている。
【００３５】
図７は、購入受付ページの一例を示す図である。図７に示すように、購入受付ページでは、「ここで購入」のリンクボタンをクリックした対象外商品の情報が確認のため表示される。そして、その下に、
・色
・サイズ
・販売主氏名
・販売主住所
・販売主ＴＥＬ
・支払方法
の入力欄がある。「色」や「サイズ」は、商品によっては選べない場合もあり、その場合には入力欄は表示されない。「個数」の入力欄を設けて、注文個数も入力できるようにすると好適である。「支払方法」は、宅配便による代金引換か、クレジットカード決済である。クレジットカード決済を選んだ場合には、カード会社やクレジットカード番号を入力する欄が表示される。
【００３６】
図４に示すように、ＤＢＳ７は、受け付けた購入の情報をデータベース化した購入受付ＤＢＦ７３を有している。購入受付ＤＢＦ７３は、
・商品コード
・商品名称
・販売主名称
・購入者氏名
・購入者住所
・購入者電話番号
・個数
・色
・サイズ
・支払方法
等のフィールドからなる１つの購入受付のレコードを多数登録したファイルである。
【００３７】
図７に示す購入受付ページにおいて、前述した情報が入力されて「送信」のボタンがクリックされると、入力された情報を再度表示して確認を取る画面を表示し、最終的に「ＯＫ」がクリックされると、購入受付用のＣＧＩプログラム５０１が起動する。ＣＧＩプログラム５０１は、購入受付ページに入力されているデータを読み込んで所定の形式に変換し、ＤＢＳ７に送る。ＤＢＳ７は、送られたデータを購入受付ＤＢＦ７３に新規のレコードとして追加する。これで購入受付は終了であり、ＣＧＩプログラム５０１は、アクセスしてきた情報端末３００に「購入を受け付けました」のような表示をして終了する。情報端末３００上では、再び対象外商品閲覧ページが表示されるか、トップページに戻る。
【００３８】
図４に示すように、イントラネット６上には、管理用クライアント６１が接続されている。管理用クライアント６１は、ＷＷＷサーバ５やＤＢＳ７を運営する運営主体が管理用に使用するものである。運営主体は、管理用クライアント６１を使用してＤＢＳ７にアクセスし、購入受付ＤＢＦ７３を定期的に（例えば一日に一回）チェックする。この際、新しく追加されたレコードがあった場合（新規の購入注文があった場合）、データを読み出して発売主に購入注文を転送する。購入注文の転送を受けた販売主は、データに従って商品を発送し、代金を回収する。通常、代金回収後、運営主体に販売マージンが支払われる。
上述した実施形態の商品販売方法及び商品販売システムは、以下のようなメリットをもたらす。
【００３９】
まず、テレビＣＭを見た視聴者にとっては、テレビＣＭで露出された商品を容易に手に入れることができる、というメリットがある。テレビＣＭを見て、そのテレビＣＭの宣伝対象ではないものの、それに出ていた商品が気に入ることがある。その場合、その商品がどこに行けば手に入るか不明な場合が多い。そのテレビＣＭのスポンサーの会社に電話して聞くことが多いであろうが、そこでも、特定のテレビＣＭに出ている対象外商品の販売主など、判ることは殆ど不可能である。できるとすれば、広告代理店の連絡先を教えてもらい、そこからテレビＣＭ制作会社の連絡を教えてもらうことぐらいである。それでも、そこで判るかどうかというところであろう。
【００４０】
本実施形態によれば、対象外商品を閲覧させるサイトにアクセスして検索するだけで情報が得られるので、極めて便利である。また、そのサイトでその商品の注文もできるので、さらに便利である。
また、対象外商品を販売する販売主としても、テレビＣＭで商品が露出することで販売促進できるというメリットがある。特に、単にテレビＣＭで使ってもらっただけでは売上げアップはそれほど見込めないということもあるかもしれないが、本実施形態では、サイト上でのテレビＣＭを特定した検索によりどの会社の商品かが視聴者に告知されるので、より効果的である。
【００４１】
尚、上記実施形態の方法では、購入ステップにおいて視聴者からの対象外商品の購入注文を受け付けるようにしたが、単に、その対象外商品が買える店舗の情報のみが閲覧できるようになっていても良い。つまり、この発明の実施に際しては、ネットワーク上で対象外商品を購入できるようにすることは必須の条件ではなく、単に、その対象外商品を購入できる店舗の情報がネットワーク上で得られるようになっているだけでも良い。
【００４２】
次に、商品販売仲介システムの発明とその動作方法の発明の実施形態について説明する。図８は、商品販売仲介システムの発明の実施形態とその動作方法の発明の実施形態について示した概略図である。
図８に示す商品販売仲介システムとその動作方法は、図１に示すシステム及びその動作方法と、図４に示すシステム及びその動作方法とを統合したような構成となっている。具体的には、図８に示す商品販売仲介システムは、第一のデータベース手段８１と、登録手段と、第一の閲覧手段と、対象外商品が視聴者に認識される状態で放映されたテレビＣＭ毎に当該対象外商品の販売主及び価格を含む対象外商品の情報を登録した第二のデータベース手段８２と、第二の閲覧手段とを備えている。このシステムの動作方法は、露出希望商品の情報を入力させて登録手段が第一のデータベース手段８１に登録する登録ステップと、第一のデータベース手段８１に登録された情報のうち、露出希望商品を特定する情報及び露出希望商品の販売主を特定する情報を、任意の露出希望商品を選択できるよう閲覧手段が広告制作者に閲覧させる第一の閲覧ステップと、テレビＣＭを視聴した視聴者がネットワークを介して第二のデータベース手段８２にアクセスした際、その視聴者にそのテレビＣＭの対象外商品の情報を第二の前記閲覧手段が閲覧させる第二の閲覧ステップとを実行する方法である。
【００４３】
さらに具体的に説明する。
第一のデータベース手段８１は、図１に示す実施形態におけるＤＢＳ７と同じ構成である。また、第二のデータベース手段８２は、図４に示す実施形態におけるＤＢＳ７と同じ構成である。
本実施形態のシステムも、ＷＷＷサーバ９を備えている。第一の閲覧手段は、ＷＷＷサーバ９と、ＷＷＷサーバ９にインストールされた制作者閲覧用ファイル９１によって構成されている。制作者閲覧用ファイル９１によって表示される閲覧ページの内容は、図１に示す実施形態と同様である。
また、本実施形態におけるＷＷＷサーバ９も、第一のデータベース手段８１への登録を対象外商品の販売主にさせるための登録ページ用ファイル９２を備えている。登録ページ用ファイル９２の構成は、図１に示す実施形態のものと同様である。
【００４４】
さらに、本実施形態における第二の閲覧手段は、ＷＷＷサーバ９と、ＷＷＷサーバ９にインストールされた視聴者閲覧用ファイル９３によって構成されている。視聴者閲覧用ファイル９３の構成は、図４に示す実施形態のものと同様である。
また、本実施形態における購入受付手段は、ＷＷＷサーバ９と、ＷＷＷサーバ９にインストールされた購入受付用ファイル９４とから構成されている。購入受付用ファイル９４の構成は、図４に示す実施形態と同様である。
【００４５】
尚、本実施形態において、第一第二のデータベース手段８１，８２、ＷＷＷサーバ９等は、ルータ３２を介してインターネット３に接続されているとともに、ファイアウォール８００を介してインターネットに接続されたイントラネット８０上設けられている。また、イントラネット８０には、図４に示す実施形態と同様の管理用クライアント８０１が設けられている。
【００４６】
本実施形態の方法の構成及び本実施形態のシステムの動作も、前述した二つの実施形態を統合したものと同様である。即ち、本システムの運営主体は、対象外商品の登録を希望する販売主に登録手段により登録を行わせ、第一のデータベース手段８１を構築する。そして、第一の閲覧手段によりテレビＣＭ制作者に第一のデータベース手段８１を閲覧させ、任意の露出希望商品（単数又は複数）を選ばせ、それを実際に使用してテレビＣＭを制作させる。
制作された対象外商品付きのテレビＣＭの放映が決定された後、運営主体は、管理用コンピュータ８０１を使用して、その対象外商品について第一のデータベース手段８１に保存されたテレビＣＭの情報とともに第二のデータベース手段８２に保存する。そして、そのテレビＣＭが放映された後、視聴者からインターネット３を介してアクセスがあった場合、第二の閲覧手段を利用してその対象外商品の情報をその視聴者に閲覧させる。さらに、その視聴者がその対象外商品をサイト上で購入したいとの希望を持っている場合、購入受付手段により購入注文を受け付ける。受け付けられた購入注文は、管理用クライアント８０１によりその対象外商品の販売主に転送される。
【００４７】
尚、上記実施形態によって提供される商品販売仲介サービスは、現実には、広告代理店やテレビＣＭ制作会社、またはそれらに関連する会社によって提供される可能性が高い。いずれにしても、上記実施形態によれば、テレビ制作会社や広告主にとっては制作費のアップにより良質なテレビＣＭの制作が期待できる一方で、対象外商品の販売主にとっては、テレビＣＭに商品が露出することで商品の売り上げアップが期待できる。さらに、視聴者にとっては、テレビＣＭに登場した対象外商品を容易に購入することができる。つまり、本実施形態は、テレビＣＭに関連した各主体みんながメリットを享受できる極めて優れたイノベーションとなっている。
【００４８】
上記各実施形態では、対象外商品は、グッズ即ち有体物であるように説明されているが、必ずしもこれに限られるものではない。無体商品、即ち、サービスや金融商品（与信サービス等）の場合もあり得る。例えば、あるテレビＣＭのロケ地の対象外商品である場合もある。つまり、そのロケ地の自治体がそのロケ地の宣伝するために用いたり、そのロケ地へのパック旅行を旅行代理店が宣伝するのに利用することもある。さらに、あるテレビＣＭで使用された旅館が、対象外商品である場合もある。もっと言えば、テレビＣＭに登場するタレントが対象外商品である場合もある。即ち、ある無名のタレントをあるテレビＣＭに使ってもらい、そのタレントの宣伝をそのタレントが所属するプロダクションがそのテレビＣＭ以外で行う。そして、そのタレントを使いたいという申し出（購入受付）を購入受付手段で行う場合もある。
【００４９】
尚、上述した各実施形態において、ネットワークはインターネット３であるとして説明したが、これに限られる訳ではない。イントラネットや、エクストラネット（インターネット３を利用した組織内ネット）、さらには衛星を利用したネットワークの場合もあり得る。また、購入受付の構成としては、音声電話による受付も考えられ、オペレータによる受付の他、自動応答システムによる受付等も考えられる。
また、上記各実施形態では、広告の一例としてテレビＣＭを採り上げたが、本願発明はこれに限られるものではない。ラジオ広告、新聞広告、電車内、駅、街頭等に掲示されるポスター類など、任意の広告に適用することができる。また、広告を公衆に露出するとは、制作された広告の内容が需要者に認識されるようにする行為であり、ラジオ広告であれば「放送」、新聞広告であれば「掲載」、ポスター等であれば「掲示」の行為が該当する。尚、テレビ広告以外の広告の場合、協賛金の額は、総制作費の○○％というように決められる場合がある。テレビ、雑誌、新聞、ポスター等の複数のメディアを利用した広告は、特にメディアミックスと呼ばれるが、テレビ広告の制作費も含めて全体の総制作費の○○％というように協賛金が決められる場合もある。
【００５０】
【発明の効果】
以上説明した通り、本願の請求項１乃至６いずれかに記載の発明によれば、広告制作者や広告主にとっては、制作費のアップにより良質な広告が制作できるという効果がある。また、対象外商品の販売主にとっては、広告に商品が露出することでその対象外商品の売り上げアップにつながるという効果がある。
また、請求項７乃至１６いずれかに記載の発明によれば、広告制作会社や広告主にとっては制作費のアップにより良質な広告の制作が期待できる一方で、対象外商品の販売主にとっては、広告に商品が露出することで商品の売り上げアップが期待できる。さらに、需要者にとっては、広告に登場した対象外商品を容易に購入することができる。
【図面の簡単な説明】
【図１】広告制作支援システムの発明の実施形態とその動作方法の発明の実施形態について示した概略図である。
【図２】図１に示すＤＢＦ１１のファイル構造について示した図である。
【図３】制作者閲覧ページの例を示した概略図である。
【図４】商品販売システムの発明の実施形態とその動作方法の発明の実施形態について示した概略図である。
【図５】対象外商品閲覧ページの一例を示す図である。
【図６】対象外商品を表示した対象外商品閲覧ページの例を示す図である。
【図７】購入受付ページの一例を示す図である。
【図８】商品販売仲介システムの発明の実施形態とその動作方法の発明の実施形態について示した概略図である。
【符号の説明】
１　ＤＢＳ
１１　ＤＢＦ
２　ＷＷＷサーバ
２１　登録ページ用ファイル
２２　制作者閲覧用ファイル
３　インターネット
５　ＷＷＷサーバ
５１　視聴者閲覧用ファイル
５２　購入受付用ファイル
７　ＤＢＳ
７１　テレビＣＭＤＢＦ
７２　対象外商品ＤＢＦ
７３　購入受付ＤＢＦ
８１　第一のデータベース手段
８２　第二のデータベース手段
９　ＷＷＷサーバ
９１　制作者閲覧用ファイル
９２　登録ページ用ファイル
９３　視聴者閲覧用ファイル
９４　購入受付用ファイル